(57)【要約】【課題】ユーザの興味関心に応じた商品情報提供ができ、関連性を有する商品の販売を促進することのできる、携帯端末を利用した電子購入システム及び方法を提供する。【解決手段】ユーザが前記携帯端末を操作して第１販売者システムに対し注文処理を行って第１商品を購入したことに基づき、第１販売者システムから、ユーザ単位の第１商品購入記録情報と、購入された第１商品に関連付けした第２商品の商品情報とを組で記述した注文票データを携帯端末に対し提供し、ユーザは携帯端末にて注文票データを閲覧でき、第２商品の商品情報の項目から選択動作を行うと、それを契機として第２販売者システムに対し、選択された第２商品の注文処理が実行されるものであり、第２販売者システムは、第１販売者システムに対して第２商品の広告効果に対する対価の支払い処理を行う。【選択図】　　　　図１
2004078609.tif 000002
【特許請求の範囲】
【請求項１】
無線通信機能を備えるユーザの携帯端末と、第１の商品を販売する第１販売者システムと、第２の商品を販売する第２販売者システムと、を有し、
ユーザが前記携帯端末を操作して前記第１販売者システムに対し注文処理を行って前記第１商品を購入したことに基づき、前記第１販売者システムから、ユーザ単位の第１商品購入記録情報と、該購入された第１商品に関連付けした前記第２商品の商品情報とを組で記述した注文票データを前記携帯端末に対し提供し、ユーザは前記携帯端末にて前記注文票データを閲覧でき、前記第２商品の商品情報の項目から選択動作を行うと、それを契機として前記第２販売者システムに対し前記選択された第２商品の注文処理が実行されるものであり、前記第２販売者システムは、前記第１販売者システムに対して前記第２商品の広告効果に対する対価の支払い処理を行うことを特徴とする電子購入システム。
【請求項２】
無線通信機能を備えるユーザの携帯端末と、第１の商品を販売する第１販売者サーバを有する第１販売者システムと、第２の商品を販売する第２販売者サーバを有する第２販売者システムと、を有し、
前記携帯端末は、ユーザによる操作に基づき前記第１商品の注文情報を前記第１販売者サーバに送信する手段を有し、
前記第１販売者サーバは、前記携帯端末から前記第１商品注文情報を受信して前記第１商品の提供処理を行い第１商品購入の記録を行う手段と、
前記第１商品購入記録情報を参照して、該購入された第１商品に前記第２商品を関連付ける処理を行い、ユーザ単位の第１商品購入記録情報とこの情報に関連付けされた第２商品の商品情報とを組で表示情報として含み、前記第２商品の商品情報項目の選択動作を契機として第２商品注文情報を前記第２販売者サーバに送信するよう処理指定を記述した注文票データを作成する手段と、
前記注文票データを前記携帯端末に送付する手段と、を有し、
前記携帯端末は、前記注文票データの表示情報を表示し、表示情報中でのユーザによる第２商品の商品情報項目の選択動作を契機として第２商品注文情報を前記第２販売者サーバに送信する手段を有し、
前記第２販売者サーバは、前記第２商品注文情報を受信して前記第２商品の提供処理を行う手段と、
前記第１販売者に対して支払う対価の計算を行い対価情報を含む対価支払情報を前記第１販売者サーバに送信する手段と、を有し、
前記第１販売者サーバは、前記対価支払情報をもとに前記対価支払いについての確認を行う手段を有することを特徴とする電子購入システム。
【請求項３】
無線通信機能及び短距離通信機能を備えるユーザの携帯端末と、第１の商品を販売する第１販売者サーバ及びこのサーバに接続される複数の第１販売者端末とを有する第１販売者システムと、第２の商品を販売する第２販売者サーバと、を有し、
前記携帯端末は、ユーザによる操作に基づき前記第１商品の注文情報を前記第１販売者端末装置に前記短距離通信機能を通じて送信する手段を有し、
前記第１販売者端末装置は、前記携帯端末から前記第１商品注文情報を受信して前記第１商品の提供処理を行い第１商品購入の記録を行う手段を有し、
前記第１販売者システムは、前記第１商品購入記録情報を参照して、該購入された第１商品に前記第２商品を関連付ける処理を行い、ユーザ単位の第１商品購入記録情報とこの情報に関連付けされた第２商品の商品情報とを組で表示情報として含み、前記第２商品の商品情報項目の選択動作を契機として第２商品注文情報を前記第２販売者サーバに送信するよう処理指定を記述した注文票データを作成する手段と、
前記注文票データを前記携帯端末に送付する手段と、を有し、
前記携帯端末は、前記注文票データの表示情報を表示し、表示情報中でのユーザによる第２商品の商品情報項目の選択動作を契機として第２商品注文情報を前記第２販売者サーバに送信する手段を有し、
前記第２販売者サーバは、前記第２商品注文情報を受信して前記第２商品の提供処理を行う手段と、
前記第１販売者に対して支払う対価の計算を行い対価情報を含む支払情報を前記第１販売者サーバに送信する手段と、を有し、
前記第１販売者サーバは、前記支払情報をもとに前記対価支払いについての確認を行う手段を有することを特徴とする電子購入システム。
【請求項４】
無線通信機能を備えるユーザの携帯端末と、第１の商品を販売する第１販売者サーバを有する第１販売者システムと、第２の商品を販売する第２販売者サーバを有する第２販売者システムと、を有し、
前記携帯端末は、ユーザによる操作に基づき前記第１商品の注文情報を前記第１販売者サーバに送信する手段を有し、
前記第１販売者サーバは、前記携帯端末から前記第１商品注文情報を受信して前記第１商品の提供処理を行い第１商品購入の記録を行う手段を有し、
前記第２販売者サーバは、前記第１商品購入記録情報を第１販売者サーバから取得する手段と、
前記取得した第１商品購入記録情報を参照して、該購入された第１商品に前記第２商品を関連付ける処理を行い、ユーザ単位の第１商品購入記録情報とこの情報に関連付けされた第２商品の商品情報とを組で表示情報として含み、前記第２商品の商品情報項目の選択動作を契機として第２商品注文情報を前記第２販売者サーバに送信するよう処理指定を記述した注文票データを作成する手段と、
前記注文票データを前記携帯端末に送付する手段と、を有し、
前記携帯端末は、前記注文票データの表示情報を表示し、表示情報中でのユーザによる第２商品の商品情報項目の選択動作を契機として第２商品注文情報を前記第２販売者サーバに送信する手段を有し、
前記第２販売者サーバは、前記第２商品注文情報を受信して前記第２商品の提供処理を行う手段と、
前記第１販売者に対して支払う対価の計算を行い対価情報を含む支払情報を前記第１販売者サーバに送信する手段と、を有し、
前記第１販売者サーバは、前記支払情報をもとに前記対価支払いについての確認を行う手段を有することを特徴とする電子購入システム。
【請求項５】
前記第２販売者システムは、前記対価支払いの際に、前記第１販売者サーバからの前記第１商品購入記録情報の取得に対する情報料として対価の計算を行うことを特徴とする請求項４記載の電子購入システム。
【請求項６】
前記第１販売者システムは、前記第２販売者システムの提供する第２商品の商品情報を予め保持し、第２商品情報を用いて前記第１商品−前記第２商品間の関連付けと前記注文票データの作成とを行うことを特徴とする請求項２または３に記載の電子購入システム。
【請求項７】
前記第２販売者システムは、前記第１販売者システムの提供する第１商品の商品情報を予め保持し、第１商品情報を用いて前記第１商品−前記第２商品間の関連付けと前記注文票データの作成とを行うことを特徴とする請求項４または５に記載の電子購入システム。
【請求項８】
前記注文票データの作成の際には、前記第１商品と第２商品との関連を記述した関連付けテーブルを参照して商品間の対応付けを行うことを特徴とする請求項２から７のいずれか１項に記載の電子購入システム。
【請求項９】
前記第１販売者システムは前記第１商品の商品情報を有し、
前記第２販売者システムは前記第２商品の商品情報を有し、
前記第１販売者システムは、前記第２販売者システムから前記第２商品情報を取得する手段と、
前記取得した第２商品情報と前記第１商品情報とのマッチング処理を行って第１商品−第２商品間の関連を記述した関連付けテーブルを作成・更新する手段と、をさらに有し、
前記注文票データの作成の際は前記関連付けテーブルを参照して第１商品−第２商品間の対応付けを行って作成することを特徴とする請求項２または３に記載の電子購入システム。
【請求項１０】
前記第１販売者システムは前記第１商品の商品情報を有し、
前記第２販売者システムは前記第２商品の商品情報を有し、
前記第２販売者システムは、前記第１販売者システムから前記第１商品情報を取得する手段と、
前記取得した第１商品情報と前記第２商品情報とのマッチング処理を行って第１商品−第２商品間の関連を記述した関連付けテーブルを作成・更新する手段と、をさらに有し、
前記注文票データの作成の際は前記関連付けテーブルを参照して第１商品−第２商品間の対応付けを行って作成することを特徴とする請求項４または５に記載の電子購入システム。
【請求項１１】
前記マッチング処理では、前記商品情報中のテキスト情報同士の比較検索処理を行い、一致するワードを見出した場合に商品を関連付けることを特徴とする請求項９または１０に記載の電子購入システム。
【請求項１２】
前記第１商品注文情報の送信の際には携帯端末アドレス情報をともに送信し、
前記注文票データの送付の際には前記携帯端末アドレス情報を宛先として送付することを特徴とする請求項２から１１のいずれか１項に宇記載の電子購入システム。
【請求項１３】
前記注文票データの作成の際には、前記注文票データに前記第２販売者サーバのアドレス情報を記述し、
前記第２商品注文情報の送信の際には、前記第２販売者サーバアドレス情報を宛先として前記第２商品注文情報が送信されることを特徴とする請求項２から１２のいずれか１項に記載の電子購入システム。
【請求項１４】
前記注文票データの作成の際には注文票データに前記第１販売者サーバのアドレス情報を記述し、
前記携帯端末から前記第２販売者サーバへの前記第２商品注文情報の送信の際に前記第１販売者サーバアドレス情報を宛先として用いて前記第１販売者サーバへも確認用に同一内容のデータが送信され、
前記第１販売者システムは、前記確認用の第２商品注文情報を参照して対価支払い確認を行うことを特徴とする請求項２から１３のいずれか１項に記載の電子購入システム。
【請求項１５】
前記携帯端末アドレスとして電子メールアドレスを使用し、
前記販売者システムは前記注文票データを電子メール形式で電子メールプロトコルを使用して送付処理することを特徴とする請求項２から１４のいずれか１項に記載の電子購入システム。
【請求項１６】
前記第１商品はディジタルデータであり、
前記第１販売者システムは、前記第１商品注文情報の受信に基づき前記第１商品データを前記携帯端末に送信することを特徴とする請求項２から１５のいずれか１項に記載の電子購入システム。
【請求項１７】
前記第２商品はディジタルデータであり、
前記第２販売者サーバは、前記第２商品注文情報の受信に基づき前記第２商品データを前記携帯端末に送信することを特徴とする請求項２から１６のいずれか１項に記載の電子購入システム。
【請求項１８】
前記注文票データの表示情報であるユーザ単位の第１商品購入記録情報と第２商品情報とが前記携帯端末の表示画面にて別々のページで切り替え可能に表示されるように前記注文票データが記述されることを特徴とする請求項２から１７のいずれか１項に記載の電子購入システム。
【請求項１９】
前記注文票データの表示情報であるユーザ単位の第１商品購入記録情報と第２商品情報とが前記携帯端末の表示画面にて同一ページで組で表示されるように前記注文票データが記述されることを特徴とする請求項２から１７のいずれか１項に記載の電子購入システム。
【請求項２０】
前記第１販売者システムは前記第１商品としてカラオケサービスを提供するシステムであり、
前記第１販売者端末装置は通信カラオケ装置であり前記携帯端末からの前記第１商品注文情報の受信に応じてカラオケ楽曲演奏処理を行い、
前記第２販売者システムは前記第２商品として着メロデータを提供するシステムであり、
前記第２販売者サーバは前記着メロデータを保持し前記携帯端末からの前記第２商品注文情報の受信に応じて前記着メロデータを送信処理することを特徴とする請求項３記載の電子購入システム。
【請求項２１】
無線通信機能を備えるユーザの携帯端末と、第１の商品を販売する第１販売者サーバを有する第１販売者システムと、第２の商品を販売する第２販売者サーバを有する第２販売者システムと、を有するシステムにおける電子購入方法であって、
前記携帯端末がユーザによる操作に基づき前記第１商品の注文情報を前記第１販売者サーバに送信するステップと、
前記第１販売者サーバが前記携帯端末から前記第１商品注文情報を受信して前記第１商品の提供処理を行い第１商品購入の記録を行うステップと、
前記第１販売者サーバが前記第１商品購入記録情報を参照して、該購入された第１商品に前記第２商品を関連付ける処理を行い、ユーザ単位の第１商品購入記録情報とこの情報に関連付けされた第２商品の商品情報とを組で表示情報として含み、前記第２商品の商品情報項目の選択動作を契機として第２商品注文情報を前記第２販売者サーバに送信するよう処理指定を記述した注文票データを作成するステップと、
前記第１販売者サーバが前記注文票データを前記携帯端末に送付するステップと、
前記携帯端末において前記注文票データの表示情報を表示するステップと、
前記表示情報中でのユーザによる第２商品の商品情報項目の選択動作を契機として第２商品注文情報を前記第２販売者サーバに送信するステップと、
前記第２販売者サーバが前記第２商品注文情報を受信して前記第２商品の提供処理を行うステップと、
前記第２販売者サーバが前記第１販売者に対して支払う対価の計算を行い対価情報を含む支払情報を前記第１販売者サーバに送信するステップと、
前記第１販売者サーバが前記支払情報をもとに前記対価支払いについての確認を行うステップと、を有することを特徴とする電子購入方法。
【請求項２２】
無線通信機能を備えるユーザの携帯端末と、第１の商品を販売する第１販売者サーバ及びこのサーバに接続される複数の第１販売者端末とを有する第１販売者システムと、第２の商品を販売する第２販売者サーバと、を有するシステムにおける電子購入方法であって、
前記携帯端末がユーザによる操作に基づき前記第１商品の注文情報を前記第１販売者端末装置に短距離通信機能を通じて送信するステップと、
前記第１販売者端末装置が前記携帯端末から前記第１商品注文情報を受信して前記第１商品の提供処理を行い第１商品購入の記録を行うステップと、
前記第１販売者システムが前記第１商品購入記録情報を参照して、該購入された第１商品に前記第２商品を関連付ける処理を行い、ユーザ単位の第１商品購入記録情報とこの情報に関連付けされた第２商品の商品情報とを組で表示情報として含み、前記第２商品の商品情報項目の選択動作を契機として第２商品注文情報を前記第２販売者サーバに送信するよう処理指定を記述した注文票データを作成するステップと、
前記第１販売者システムが前記注文票データを前記携帯端末に送付するステップと、
前記携帯端末において前記注文票データの表示情報を表示するステップと、
前記表示情報中でのユーザによる第２商品の商品情報項目の選択動作を契機として第２商品注文情報を前記第２販売者サーバに送信するステップと、
前記第２販売者サーバが前記第２商品注文情報を受信して前記第２商品の提供処理を行うステップと、
前記第２販売者サーバが前記第１販売者に対して支払う対価の計算を行い対価情報を含む支払情報を前記第１販売者サーバに送信するステップと、
前記第１販売者サーバが前記支払情報をもとに前記対価支払いについての確認を行うステップと、を有することを特徴とする電子購入方法。
【請求項２３】
無線通信機能を備えるユーザの携帯端末と、第１の商品を販売する第１販売者サーバを有する第１販売者システムと、第２の商品を販売する第２販売者サーバを有する第２販売者システムと、を有するシステムにおける電子購入方法であって、
前記携帯端末がユーザによる操作に基づき前記第１商品の注文情報を前記第１販売者サーバに送信するステップと、
前記第１販売者サーバが前記携帯端末から前記第１商品注文情報を受信して前記第１商品の提供処理を行い第１商品購入の記録を行うステップと、
前記第２販売者サーバが前記第１商品購入記録情報を第１販売者サーバから取得するステップと、
前記第２販売者サーバが前記取得した第１商品購入記録情報を参照して、該購入された第１商品に前記第２商品を関連付ける処理を行い、ユーザ単位の第１商品購入記録情報とこの情報に関連付けされた第２商品の商品情報とを組で表示情報として含み、前記第２商品の商品情報項目の選択動作を契機として第２商品注文情報を前記第２販売者サーバに送信するよう処理指定を記述した注文票データを作成するステップと、
前記第２販売者サーバが前記注文票データを前記携帯端末に送付するステップと、
前記携帯端末において前記注文票データの表示情報を表示するステップと、
前記表示情報中でのユーザによる第２商品の商品情報項目の選択動作を契機として第２商品注文情報を前記第２販売者サーバに送信するステップと、
前記第２販売者サーバが前記第２商品注文情報を受信して前記第２商品の提供処理を行うステップと、
前記第２販売者サーバが前記第１販売者に対して支払う対価の計算を行い対価情報を含む支払情報を前記第１販売者サーバに送信するステップと、
前記第１販売者サーバが前記支払情報をもとに前記対価支払いについての確認を行うステップと、を有することを特徴とする電子購入方法。
【請求項２４】
無線通信機能を備えるユーザの携帯端末と、第１の商品を販売する第１販売者サーバを有する第１販売者システムと、第２の商品を販売する第２販売者サーバを有する第２販売者システムと、を有するシステムにおける電子購入方法であって、
前記携帯端末がユーザによる操作に基づき前記第１商品の注文情報を前記第１販売者サーバに送信するステップと、
前記第１販売者サーバが前記携帯端末から前記第１商品注文情報を受信して前記第１商品の提供処理を行い第１商品購入の記録を行うステップと、
前記第２販売者サーバが前記第１商品購入記録情報を第１販売者サーバから取得するステップと、
前記第２販売者サーバが前記取得した第１商品購入記録情報に対する情報料として第１販売者に支払う対価の計算を行い対価情報を含む支払情報を前記第１販売者サーバに送信するステップと、
前記第２販売者サーバが前記取得した第１注文購入記録情報を参照して、該購入された第１商品に前記第２商品を関連付ける処理を行い、ユーザ単位の第１商品購入記録情報とこの情報に関連付けされた第２商品の商品情報とを組で表示情報として含み、前記第２商品の商品情報項目の選択動作を契機として第２商品注文情報を前記第２販売者サーバに送信するよう処理指定を記述した注文票データを作成するステップと、
前記第２販売者サーバが前記注文票データを前記携帯端末に送付するステップと、
前記携帯端末において前記注文票データの表示情報を表示するステップと、
前記表示情報中でのユーザによる第２商品の商品情報項目の選択動作を契機として第２商品注文情報を前記第２販売者サーバに送信するステップと、
前記第２販売者サーバが前記第２商品注文情報を受信して前記第２商品の提供処理を行うステップと、
前記第１販売者サーバが前記支払情報をもとに前記対価支払いについての確認を行うステップと、を有することを特徴とする電子購入方法。
【請求項２５】
前記第１販売者システムが前記第２販売者システムから前記第２商品の商品情報を取得するステップと、
前記取得した第２商品情報と前記第１商品情報とのマッチング処理を行って第１商品−第２商品間の関連を記述した関連付けテーブルを作成・更新するステップと、をさらに有し、
前記注文票データの作成のステップでは前記関連付けテーブルを参照して第１商品−第２商品間の対応付けを行って作成することを特徴とする請求項２１または２２に記載の電子購入方法。
【請求項２６】
前記第２販売者システムが前記第１販売者システムから前記第１商品の商品情報を取得するステップと、
前記取得した第１商品情報と前記第２商品情報とのマッチング処理を行って第１商品−第２商品間の関連を記述した関連付けテーブルを作成・更新するステップと、をさらに有し、
前記注文票データの作成のステップでは前記関連付けテーブルを参照して第１商品−第２商品間の対応付けを行って作成することを特徴とする請求項２３または２４に記載の電子購入方法。
【請求項２７】
無線通信機能を備えるユーザの携帯端末に対して第１の商品を販売する第１の販売者のサーバ装置であって、
前記携帯端末から第１商品注文情報を受信して前記第１商品の提供処理を行う機能と、
前記第１商品の提供処理に伴い、該第１商品購入の記録を行う機能と、
前記第１商品購入記録情報を参照して、該購入された第１商品に第２の販売者の販売する第２商品を関連付ける処理を行う機能と、
ユーザ単位の第１商品購入記録情報と、該情報に関連付けされた第２商品の商品情報とを組で表示情報として含み、前記第２商品の商品情報項目の選択動作を契機として第２商品注文情報を前記第２販売者のサーバ装置に送信するよう処理指定を記述した注文票データを作成する機能と、
前記注文票データを前記携帯端末に送付する機能と、
前記第２販売者から送信される対価支払い情報をもとに第２販売者による対価支払いについて確認を行う機能とを有することを特徴とするサーバ装置。
【請求項２８】
前記第１商品の商品情報を保持し、
前記第２販売者のシステムから前記第２商品の商品情報を取得する機能と、
該取得した第２商品情報と前記第１商品情報とのマッチング処理を行って第１商品−第２商品間の関連を記述した関連付けテーブルを作成・更新する機能と、をさらに有し、
前記注文票データの作成の際は前記関連付けテーブルを参照して第１商品−第２商品間の対応付けを行って作成することを特徴とする請求項２７記載のサーバ装置。
【請求項２９】
無線通信機能を備えるユーザの携帯端末に対して第２の商品を販売する第２の販売者のサーバ装置であって、
前記携帯端末から、第１の販売者のシステムが作成した注文票データをもとに発行された第２商品注文情報を受信して前記第２商品の提供処理を行う機能と、前記第１販売者に対して支払う対価の計算を行い対価情報を含む対価支払情報を前記第１販売者のシステムに送信する機能と、を有することを特徴とするサーバ装置。
【請求項３０】
前記第１販売者のシステムから第１商品購入記録情報を取得する機能と、
前記第１商品購入記録情報を参照して、該購入された第１商品に第２の販売者の販売する第２商品を関連付ける処理を行う機能と、
ユーザ単位の第１商品購入記録情報と、該情報に関連付けされた第２商品の商品情報とを組で表示情報として含み、前記第２商品の商品情報項目の選択動作を契機として第２商品注文情報を当該サーバに送信するよう処理指定を記述した注文票データを作成する機能と、
前記注文票データを前記携帯端末に送付する機能と、を有することを特徴とする請求項２９記載のサーバ装置。
【請求項３１】
前記第２商品の商品情報を保持し、
前記第１販売者のシステムから第１商品の商品情報を取得する機能と、
前記取得した第１商品情報と前記第２商品情報とのマッチング処理を行って第１商品−第２商品間の関連を記述した関連付けテーブルを作成・更新する機能と、をさらに有し、
前記注文票データの作成の際は前記関連付けテーブルを参照して第１商品−第２商品間の対応付けを行って作成することを特徴とする請求項３０記載のサーバ装置。
【請求項３２】
無線通信機能を備えるユーザの携帯端末に対して第１の商品を販売する第１の販売者のシステムを構成するものであり、センターのサーバ装置に通信網を介して接続される端末装置であって、
前記サーバ装置と通信し前記第１商品の販売に関わる処理を実行する機能と、前記携帯端末から短距離通信により第１商品注文情報を受信し前記第１商品の提供処理を行う機能と、
前記第１商品の提供処理に伴い該第１商品購入の記録を行う機能と、を有することを特徴とする端末装置。
【請求項３３】
前記第１商品購入記録情報を参照して、該購入された第１商品に第２の販売者の販売する第２商品を関連付ける処理を行い、ユーザ単位の第１商品購入記録情報と、該情報に関連付けされた第２商品の商品情報とを組で表示情報として含み、前記第２商品の商品情報項目の選択動作を契機として第２商品注文情報を第２販売者のサーバ装置に送信するよう処理指定を記述した注文票データを作成する機能と、
前記注文票データを短距離通信により前記携帯端末に送付する機能と、をさらに有することを特徴とする請求項３２記載の端末装置。
【発明の詳細な説明】
【０００１】
【発明の属する技術分野】
本発明は、携帯電話機などの携帯端末を利用してユーザが商品の注文・購入を行うことのできる電子購入システム及び方法、並びにサーバ装置、端末装置に関する。
【０００２】
【従来の技術】
携帯電話機などの携帯端末の普及が進んだことにより、ユーザが自身の所持する携帯端末を用いて商品の注文・購入処理を行うことのできる電子購入システムに対するニーズが高まっている。
【０００３】
携帯端末を利用した電子購入システムとして、例えば、携帯電話機の備える無線通信機能を用いて商品販売者サーバ等に対して物品やサービスの注文処理を行えるシステムや、携帯電話用の着信メロディデータ（着メロデータ）、画像データやアプリケーションプログラムなどのディジタルデータ（ディジタルコンテンツ）の注文処理をサーバに対して行って商品データをダウンロード処理して購入できるシステム等を考えることができる。
【０００４】
図２２に、携帯端末を利用した電子購入システムの一構成例を示す。この電子購入システムは、第１の商品（Ｐ１）を販売する第１の販売者のシステム１０１として、第１販売者サーバ（センター装置）１０２と、この第１販売者サーバに通信網を介して接続される複数の第１販売者端末装置１０４とを有し、また、第２の商品（Ｐ２）を販売する第２の販売者のシステム１０５として、第２販売者サーバ（センター装置）１０６を有し、また、ユーザ（商品購入者）の携帯端末（携帯電話機等）１０８を有する。携帯端末１０８は、無線通信機能により通信網を介して販売者側のサーバあるいは端末装置にアクセス・接続し、商品の注文処理を行うことができる。
【０００５】
例えば第１販売者システム１０１がカラオケサービス業者で第１商品Ｐ１がカラオケサービスであり、第２販売者システム１０５が着メロデータ販売業者で第２商品Ｐ２が着メロデータである場合を説明する。
【０００６】
第１販売者端末装置１０４は、カラオケボックス等に設置されてカラオケ楽曲演奏サービスを提供する通信カラオケ装置である。第１販売者端末装置１０４は、通信網を介して第１販売者サーバ１０２に接続され各種サービスや処理を行う。第１販売者端末装置１０４は、ユーザによる選曲信号の入力に基づき、要求された楽曲の演奏処理を行う。なお、ここではカラオケ楽曲の演奏処理を含むカラオケサービスを第１商品Ｐ１として捉えている。また、選曲信号の入力は第１商品Ｐ１の注文処理として捉えることができる。
【０００７】
第２販売者サーバ１０６は、Ｗｅｂサーバ等により構成され、商品データＰ２である携帯電話用着メロデータを保持し、ユーザの携帯端末１０８からのアクセス及び注文処理に応じて商品データＰ２を携帯端末１０８へ配信（ダウンロード）する処理を行う。
【０００８】
それぞれの販売者システム１０１、１０５は、販売する商品についての情報である商品情報（１０３、１０７）を所定形式で提供する。商品情報（１０３、１０７）は、例えば、商品名、説明、価格等の情報を含んだものである。一般に、ユーザによる何らかの形式の商品情報（１０３、１０７）（ディジタル形式、紙媒体等）の閲覧を通じて商品の注文が実行されると考えることができる。例えば商品として携帯電話用着メロデータを購入したいときに、携帯端末において着メロ商品の楽曲名や歌手名、価格（サービス料金）、その他詳細情報等を表示情報として含んだ所定のディジタル形式の商品情報（広告情報）を表示・閲覧し、希望の商品を確認してから注文・購入が実行される場面を想定できる。
【０００９】
上記のような携帯端末を利用した電子購入システムでの典型的な商品購入処理手順は例えば以下のようなものとなる。ユーザは自身の所持する携帯端末１０８を操作して所定の商品情報（１０３、１０７）を閲覧しあるいは商品情報を閲覧することなく直接に、購入希望の商品の選択／決定入力を行う。携帯端末１０８は、ユーザにより入力指示された商品に関する注文情報を商品販売側のシステム（サーバや端末装置）に対し送信する。注文情報には注文対象商品のＩＤ等の情報が含まれる。商品販売者側のシステム（１０１、１０５）では、ユーザの携帯端末１０８側から注文情報を受信して注文受領処理を行い、注文された商品について商品提供処理を行う。商品提供処理とは、商品が物品の場合なら配送手続き等、商品がサービスの場合ならそのサービスに関わる所定の処理の実行、商品がディジタルデータの場合なら商品データの送信（ダウンロード）処理などのコンピュータで実行される処理を指すものとする。商品として特にディジタルデータを販売する場合は、販売者側システムにおいて注文を受領してから商品データが携帯端末１０８に送信（ダウンロード）される処理が行われる。商品購入に関する代金支払い・決済処理は、クレジットカードシステムや通信事業者による料金回収サービス等の所定の代金支払い・決済手段を通じて行われる。
【００１０】
上記のような電子購入システムにおいては、ユーザが携帯端末を利用して商品の注文・購入を行おうとする際、異なる販売者から異なる商品を購入する場合は、それぞれの商品販売者サーバ等へのアクセス及び商品注文処理の手間が必要となる。
【００１１】
例えば、従来では、カラオケサービスと、着メロデータ配信サービスは、互いに独立してサービス提供されていた。上記システムで考えると、第１商品がカラオケ楽曲演奏サービスであり、第２商品が着メロデータである。従来では、ユーザがカラオケサービスを利用して或る楽曲に興味を持ち、その楽曲の着メロデータが欲しくなった場合、携帯端末を利用したＷｅｂ検索サービス等を用いて欲する着メロデータを探す手間が必要であった。
【００１２】
また、従来では、着メロ配信サービス業者（第２販売者）は、カラオケサービス業者（第１販売者）によるカラオケサービスの提供場所（カラオケボックス等）に、着メロ商品情報リスト（紙媒体）を置くなどして商品の広告を行っていた。この場合、第２商品（着メロデータ）の商品情報が第１商品（カラオケサービス）の提供場所においてユーザに対し提供されてはいるが、紙媒体による情報であるため、ユーザはその商品情報を通じて第２商品に興味を持った場合でも別途第２販売者サーバにアクセスを行って第２商品の注文・購入の手続きを行う必要があり手間がかかっていた。
【００１３】
上記例の場合、第１商品（カラオケサービス）と第２商品（着メロデータ）とで、楽曲名や歌手名などの点において商品同士の関連性があるのだが、異なる販売者システムにより商品情報（広告情報）の提供及び商品販売処理が行われているので、ユーザは、第１商品に関連する第２商品について、自身で販売者や商品情報や商品提供先アドレス等を探してアクセスしたり注文手続きを行う手間が必要であった。
【００１４】
また、一部では、着メロデータ商品の販売者が、予め登録されたユーザあるいは無作為に選んだユーザ等に対して、着メロ商品情報リストを電子メール形式で送りつけることにより商品の広告を行っていた。これにより、多くのユーザが、自身が意図しない電子メールを受けることやあるいは自身の興味の無い商品の情報を受けることについて不快に感じている可能性があった。
【００１５】
上記例では、関連性を有する商品を販売する異なる販売者システムが存在するとき、ユーザに対する商品情報の提供（広告）という観点から見ると、関連したサービスにはなっておらず、また、ユーザの興味関心に応じた商品情報を提供する処理にはなっていないと言える。
【００１６】
【発明が解決しようとする課題】
本発明は、かかる問題点に鑑みてなされたものであり、携帯電話機などの携帯端末を利用した電子購入システム及び方法において、ユーザが自身の所持する携帯端末を操作して第１の販売者から第１の商品の注文・購入を行うと、上記購入した第１の商品に関連した第２の販売者の第２の商品の商品情報をユーザが閲覧することができ、またユーザが携帯端末において上記第２商品の商品情報を閲覧してその中から購入希望の商品を簡単な操作で注文・購入することができるような、ユーザの興味関心に応じた商品情報提供ができ、関連性を有する商品の販売を促進して、上記第１の販売者、第２の販売者、及びユーザ（商品購入者）のいずれにとっても利便をもたらすことのできる、携帯端末を利用した電子購入システム及び方法を提供することを主要な目的とする。
【００１７】
【課題を解決するための手段】
かかる目的を達成するために、請求項１記載の発明は、無線通信機能を備えるユーザの携帯端末と、第１の商品を販売する第１販売者システムと、第２の商品を販売する第２販売者システムと、を有し、ユーザが携帯端末を操作して第１販売者システムに対し注文処理を行って第１商品を購入したことに基づき、第１販売者システムから、ユーザ単位の第１商品購入記録情報と、購入された第１商品に関連付けした第２商品の商品情報とを組で記述した注文票データを携帯端末に対し提供し、ユーザは携帯端末にて注文票データを閲覧でき、第２商品の商品情報の項目から選択動作を行うと、それを契機として第２販売者システムに対し選択された第２商品の注文処理が実行されるものであり、第２販売者システムは、第１販売者システムに対して第２商品の広告効果に対する対価の支払い処理を行うことを特徴としている。
【００１８】
請求項２記載の発明は、無線通信機能を備えるユーザの携帯端末と、第１の商品を販売する第１販売者サーバを有する第１販売者システムと、第２の商品を販売する第２販売者サーバを有する第２販売者システムと、を有し、携帯端末は、ユーザによる操作に基づき第１商品の注文情報を第１販売者サーバに送信する手段を有し、第１販売者サーバは、携帯端末から第１商品注文情報を受信して第１商品の提供処理を行い第１商品購入の記録を行う手段と、第１商品購入記録情報を参照して、購入された第１商品に第２商品を関連付ける処理を行い、ユーザ単位の第１商品購入記録情報とこの情報に関連付けされた第２商品の商品情報とを組で表示情報として含み、第２商品の商品情報項目の選択動作を契機として第２商品注文情報を第２販売者サーバに送信するよう処理指定を記述した注文票データを作成する手段と、注文票データを携帯端末に送付する手段と、を有し、携帯端末は、注文票データの表示情報を表示し、表示情報中でのユーザによる第２商品の商品情報項目の選択動作を契機として第２商品注文情報を第２販売者サーバに送信する手段を有し、第２販売者サーバは、第２商品注文情報を受信して第２商品の提供処理を行う手段と、第１販売者に対して支払う対価の計算を行い対価情報を含む対価支払情報を第１販売者サーバに送信する手段と、を有し、第１販売者サーバは、対価支払情報をもとに対価支払いについての確認を行う手段を有することを特徴としている。
【００１９】
請求項３記載の発明は、無線通信機能及び短距離通信機能を備えるユーザの携帯端末と、第１の商品を販売する第１販売者サーバ及びこのサーバに接続される複数の第１販売者端末とを有する第１販売者システムと、第２の商品を販売する第２販売者サーバと、を有し、携帯端末は、ユーザによる操作に基づき第１商品の注文情報を第１販売者端末装置に短距離通信機能を通じて送信する手段を有し、第１販売者端末装置は、携帯端末から第１商品注文情報を受信して第１商品の提供処理を行い第１商品購入の記録を行う手段を有し、第１販売者システムは、第１商品購入記録情報を参照して、購入された第１商品に第２商品を関連付ける処理を行い、ユーザ単位の第１商品購入記録情報とこの情報に関連付けされた第２商品の商品情報とを組で表示情報として含み、第２商品の商品情報項目の選択動作を契機として第２商品注文情報を第２販売者サーバに送信するよう処理指定を記述した注文票データを作成する手段と、注文票データを携帯端末に送付する手段と、を有し、携帯端末は、注文票データの表示情報を表示し、表示情報中でのユーザによる第２商品の商品情報項目の選択動作を契機として第２商品注文情報を第２販売者サーバに送信する手段を有し、第２販売者サーバは、第２商品注文情報を受信して第２商品の提供処理を行う手段と、第１販売者に対して支払う対価の計算を行い対価情報を含む支払情報を第１販売者サーバに送信する手段と、を有し、第１販売者サーバは、支払情報をもとに対価支払いについての確認を行う手段を有することを特徴としている。
【００２０】
請求項４記載の発明は、無線通信機能を備えるユーザの携帯端末と、第１の商品を販売する第１販売者サーバを有する第１販売者システムと、第２の商品を販売する第２販売者サーバを有する第２販売者システムと、を有し、携帯端末は、ユーザによる操作に基づき第１商品の注文情報を第１販売者サーバに送信する手段を有し、第１販売者サーバは、携帯端末から第１商品注文情報を受信して第１商品の提供処理を行い第１商品購入の記録を行う手段を有し、第２販売者サーバは、第１商品購入記録情報を第１販売者サーバから取得する手段と、取得した第１商品購入記録情報を参照して、購入された第１商品に第２商品を関連付ける処理を行い、ユーザ単位の第１商品購入記録情報とこの情報に関連付けされた第２商品の商品情報とを組で表示情報として含み、第２商品の商品情報項目の選択動作を契機として第２商品注文情報を第２販売者サーバに送信するよう処理指定を記述した注文票データを作成する手段と、注文票データを携帯端末に送付する手段と、を有し、携帯端末は、注文票データの表示情報を表示し、表示情報中でのユーザによる第２商品の商品情報項目の選択動作を契機として第２商品注文情報を第２販売者サーバに送信する手段を有し、第２販売者サーバは、第２商品注文情報を受信して第２商品の提供処理を行う手段と、第１販売者に対して支払う対価の計算を行い対価情報を含む支払情報を第１販売者サーバに送信する手段と、を有し、第１販売者サーバは、支払情報をもとに対価支払いについての確認を行う手段を有することを特徴としている。
【００２１】
請求項５記載の発明は、請求項４記載の発明において、第２販売者システムは、対価支払いの際に、第１販売者サーバからの第１商品購入記録情報の取得に対する情報料として対価の計算を行うことを特徴としている。
【００２２】
請求項６記載の発明は、請求項２または３に記載の発明において、第１販売者システムは、第２販売者システムの提供する第２商品の商品情報を予め保持し、第２商品情報を用いて第１商品−第２商品間の関連付けと注文票データの作成とを行うことを特徴としている。
【００２３】
請求項７記載の発明は、請求項４または５に記載の発明において、第２販売者システムは、第１販売者システムの提供する第１商品の商品情報を予め保持し、第１商品情報を用いて第１商品−第２商品間の関連付けと注文票データの作成とを行うことを特徴としている。
【００２４】
請求項８記載の発明は、請求項２から７のいずれか１項に記載の発明において、注文票データの作成の際には、第１商品と第２商品との関連を記述した関連付けテーブルを参照して商品間の対応付けを行うことを特徴としている。
【００２５】
請求項９記載の発明は、請求項２または３に記載の発明において、第１販売者システムは第１商品の商品情報を有し、第２販売者システムは第２商品の商品情報を有し、第１販売者システムは、第２販売者システムから第２商品情報を取得する手段と、取得した第２商品情報と第１商品情報とのマッチング処理を行って第１商品−第２商品間の関連を記述した関連付けテーブルを作成・更新する手段と、をさらに有し、注文票データの作成の際は関連付けテーブルを参照して第１商品−第２商品間の対応付けを行って作成することを特徴としている。
【００２６】
請求項１０記載の発明は、請求項４または５に記載の発明において、第１販売者システムは第１商品の商品情報を有し、第２販売者システムは第２商品の商品情報を有し、第２販売者システムは、第１販売者システムから第１商品情報を取得する手段と、取得した第１商品情報と第２商品情報とのマッチング処理を行って第１商品−第２商品間の関連を記述した関連付けテーブルを作成・更新する手段と、をさらに有し、注文票データの作成の際は関連付けテーブルを参照して第１商品−第２商品間の対応付けを行って作成することを特徴としている。
【００２７】
請求項１１記載の発明は、請求項９または１０に記載の発明において、マッチング処理では、商品情報中のテキスト情報同士の比較検索処理を行い、一致するワードを見出した場合に商品を関連付けることを特徴としている。
【００２８】
請求項１２記載の発明は、請求項２から１１のいずれか１項に記載の発明において、第１商品注文情報の送信の際には携帯端末アドレス情報をともに送信し、注文票データの送付の際には携帯端末アドレス情報を宛先として送付することを特徴としている。
【００２９】
請求項１３記載の発明は、請求項２から１２のいずれか１項に記載の発明において、注文票データの作成の際には、注文票データに第２販売者サーバのアドレス情報を記述し、第２商品注文情報の送信の際には、第２販売者サーバアドレス情報を宛先として第２商品注文情報が送信されることを特徴としている。
【００３０】
請求項１４記載の発明は、請求項２から１３のいずれか１項に記載の発明において、注文票データの作成の際には注文票データに第１販売者サーバのアドレス情報を記述し、携帯端末から第２販売者サーバへの第２商品注文情報の送信の際に第１販売者サーバアドレス情報を宛先として用いて第１販売者サーバへも確認用に同一内容のデータが送信され、第１販売者システムは、確認用の第２商品注文情報を参照して対価支払い確認を行うことを特徴としている。
【００３１】
請求項１５記載の発明は、請求項２から１４のいずれか１項に記載の発明において、携帯端末アドレスとして電子メールアドレスを使用し、販売者システムは注文票データを電子メール形式で電子メールプロトコルを使用して送付処理することを特徴としている。
【００３２】
請求項１６記載の発明は、請求項２から１５のいずれか１項に記載の発明において、第１商品はディジタルデータであり、第１販売者システムは、第１商品注文情報の受信に基づき第１商品データを携帯端末に送信することを特徴としている。
【００３３】
請求項１７記載の発明は、請求項２から１６のいずれか１項に記載の発明において、第２商品はディジタルデータであり、第２販売者サーバは、第２商品注文情報の受信に基づき第２商品データを携帯端末に送信することを特徴としている。
【００３４】
請求項１８記載の発明は、請求項２から１７のいずれか１項に記載の発明において、注文票データの表示情報であるユーザ単位の第１商品購入記録情報と第２商品情報とが携帯端末の表示画面にて別々のページで切り替え可能に表示されるように注文票データが記述されることを特徴としている。
【００３５】
請求項１９記載の発明は、請求項２から１７のいずれか１項に記載の発明において、注文票データの表示情報であるユーザ単位の第１商品購入記録情報と第２商品情報とが携帯端末の表示画面にて同一ページで組で表示されるように注文票データが記述されることを特徴としている。
【００３６】
請求項２０記載の発明は、請求項３記載の発明において、第１販売者システムは第１商品としてカラオケサービスを提供するシステムであり、第１販売者端末装置は通信カラオケ装置であり携帯端末からの第１商品注文情報の受信に応じてカラオケ楽曲演奏処理を行い、第２販売者システムは第２商品として着メロデータを提供するシステムであり、第２販売者サーバは着メロデータを保持し携帯端末からの第２商品注文情報の受信に応じて着メロデータを送信処理することを特徴としている。
【００３７】
請求項２１記載の発明は、無線通信機能を備えるユーザの携帯端末と、第１の商品を販売する第１販売者サーバを有する第１販売者システムと、第２の商品を販売する第２販売者サーバを有する第２販売者システムと、を有するシステムにおける電子購入方法であって、携帯端末がユーザによる操作に基づき第１商品の注文情報を第１販売者サーバに送信するステップと、第１販売者サーバが携帯端末から第１商品注文情報を受信して第１商品の提供処理を行い第１商品購入の記録を行うステップと、第１販売者サーバが第１商品購入記録情報を参照して、購入された第１商品に第２商品を関連付ける処理を行い、ユーザ単位の第１商品購入記録情報とこの情報に関連付けされた第２商品の商品情報とを組で表示情報として含み、第２商品の商品情報項目の選択動作を契機として第２商品注文情報を第２販売者サーバに送信するよう処理指定を記述した注文票データを作成するステップと、第１販売者サーバが注文票データを携帯端末に送付するステップと、携帯端末において注文票データの表示情報を表示するステップと、表示情報中でのユーザによる第２商品の商品情報項目の選択動作を契機として第２商品注文情報を第２販売者サーバに送信するステップと、第２販売者サーバが第２商品注文情報を受信して第２商品の提供処理を行うステップと、第２販売者サーバが第１販売者に対して支払う対価の計算を行い対価情報を含む支払情報を第１販売者サーバに送信するステップと、第１販売者サーバが支払情報をもとに対価支払いについての確認を行うステップと、を有することを特徴としている。
【００３８】
請求項２２記載の発明は、無線通信機能を備えるユーザの携帯端末と、第１の商品を販売する第１販売者サーバ及びこのサーバに接続される複数の第１販売者端末とを有する第１販売者システムと、第２の商品を販売する第２販売者サーバと、を有するシステムにおける電子購入方法であって、携帯端末がユーザによる操作に基づき第１商品の注文情報を第１販売者端末装置に短距離通信機能を通じて送信するステップと、第１販売者端末装置が携帯端末から第１商品注文情報を受信して第１商品の提供処理を行い第１商品購入の記録を行うステップと、第１販売者システムが第１商品購入記録情報を参照して、購入された第１商品に第２商品を関連付ける処理を行い、ユーザ単位の第１商品購入記録情報と該情報に関連付けされた第２商品の商品情報とを組で表示情報として含み、第２商品の商品情報項目の選択動作を契機として第２商品注文情報を第２販売者サーバに送信するよう処理指定を記述した注文票データを作成するステップと、第１販売者システムが注文票データを携帯端末に送付するステップと、携帯端末において注文票データの表示情報を表示するステップと、表示情報中でのユーザによる第２商品の商品情報項目の選択動作を契機として第２商品注文情報を第２販売者サーバに送信するステップと、第２販売者サーバが第２商品注文情報を受信して第２商品の提供処理を行うステップと、第２販売者サーバが第１販売者に対して支払う対価の計算を行い該対価情報を含む支払情報を第１販売者サーバに送信するステップと、第１販売者サーバが支払情報をもとに対価支払いについての確認を行うステップと、を有することを特徴としている。
【００３９】
請求項２３記載の発明は、無線通信機能を備えるユーザの携帯端末と、第１の商品を販売する第１販売者サーバを有する第１販売者システムと、第２の商品を販売する第２販売者サーバを有する第２販売者システムと、を有するシステムにおける電子購入方法であって、携帯端末がユーザによる操作に基づき第１商品の注文情報を第１販売者サーバに送信するステップと、第１販売者サーバが携帯端末から第１商品注文情報を受信して第１商品の提供処理を行い該第１商品購入の記録を行うステップと、第２販売者サーバが第１商品購入記録情報を第１販売者サーバから取得するステップと、第２販売者サーバが取得した第１商品購入記録情報を参照して、購入された第１商品に第２商品を関連付ける処理を行い、ユーザ単位の第１商品購入記録情報と該情報に関連付けされた第２商品の商品情報とを組で表示情報として含み、第２商品の商品情報項目の選択動作を契機として第２商品注文情報を第２販売者サーバに送信するよう処理指定を記述した注文票データを作成するステップと、第２販売者サーバが注文票データを携帯端末に送付するステップと、携帯端末において注文票データの表示情報を表示するステップと、表示情報中でのユーザによる第２商品の商品情報項目の選択動作を契機として第２商品注文情報を第２販売者サーバに送信するステップと、第２販売者サーバが第２商品注文情報を受信して第２商品の提供処理を行うステップと、第２販売者サーバが第１販売者に対して支払う対価の計算を行い該対価情報を含む支払情報を第１販売者サーバに送信するステップと、第１販売者サーバが支払情報をもとに対価支払いについての確認を行うステップと、を有することを特徴としている。
【００４０】
請求項２４記載の発明は、無線通信機能を備えるユーザの携帯端末と、第１の商品を販売する第１販売者サーバを有する第１販売者システムと、第２の商品を販売する第２販売者サーバを有する第２販売者システムと、を有するシステムにおける電子購入方法であって、携帯端末がユーザによる操作に基づき第１商品の注文情報を第１販売者サーバに送信するステップと、第１販売者サーバが携帯端末から第１商品注文情報を受信して第１商品の提供処理を行い該第１商品購入の記録を行うステップと、第２販売者サーバが第１商品購入記録情報を第１販売者サーバから取得するステップと、第２販売者サーバが取得した第１商品購入記録情報に対する情報料として第１販売者に支払う対価の計算を行い該対価情報を含む支払情報を第１販売者サーバに送信するステップと、第２販売者サーバが、取得した第１注文購入記録情報を参照して、購入された第１商品に第２商品を関連付ける処理を行い、ユーザ単位の第１商品購入記録情報と該情報に関連付けされた第２商品の商品情報とを組で表示情報として含み、第２商品の商品情報項目の選択動作を契機として第２商品注文情報を第２販売者サーバに送信するよう処理指定を記述した注文票データを作成するステップと、第２販売者サーバが注文票データを携帯端末に送付するステップと、携帯端末において注文票データの表示情報を表示するステップと、表示情報中でのユーザによる第２商品の商品情報項目の選択動作を契機として第２商品注文情報を第２販売者サーバに送信するステップと、第２販売者サーバが第２商品注文情報を受信して第２商品の提供処理を行うステップと、第１販売者サーバが支払情報をもとに対価支払いについての確認を行うステップと、を有することを特徴としている。
【００４１】
請求項２５記載の発明は、請求項２１または２２に記載の発明において、第１販売者システムが第２販売者システムから第２商品の商品情報を取得するステップと、取得した第２商品情報と第１商品情報とのマッチング処理を行って第１商品−第２商品間の関連を記述した関連付けテーブルを作成・更新するステップと、をさらに有し、注文票データの作成のステップでは関連付けテーブルを参照して第１商品−第２商品間の対応付けを行って作成することを特徴としている。
【００４２】
請求項２６記載の発明は、請求項２３または２４に記載の発明において、第２販売者システムが第１販売者システムから第１商品の商品情報を取得するステップと、取得した第１商品情報と第２商品情報とのマッチング処理を行って第１商品−第２商品間の関連を記述した関連付けテーブルを作成・更新するステップと、をさらに有し、注文票データの作成のステップでは関連付けテーブルを参照して第１商品−第２商品間の対応付けを行って作成することを特徴としている。
【００４３】
請求項２７記載の発明は、無線通信機能を備えるユーザの携帯端末に対して第１の商品を販売する第１の販売者のサーバ装置であって、携帯端末から第１商品注文情報を受信して第１商品の提供処理を行う機能と、第１商品の提供処理に伴い第１商品購入の記録を行う機能と、第１商品購入記録情報を参照して、その購入された第１商品に第２の販売者の販売する第２商品を関連付ける処理を行う機能と、ユーザ単位の第１商品購入記録情報と、その情報に関連付けされた第２商品の商品情報とを組で表示情報として含み、第２商品の商品情報項目の選択動作を契機として第２商品注文情報を第２販売者のサーバ装置に送信するよう処理指定を記述した注文票データを作成する機能と、注文票データを携帯端末に送付する機能と、第２販売者から送信される対価支払い情報をもとに第２販売者による対価支払いについて確認を行う機能とを有することを特徴としている。
【００４４】
請求項２８記載の発明は、請求項２７記載の発明において、第１商品の商品情報を保持し、第２販売者のシステムから第２商品の商品情報を取得する機能と、取得した第２商品情報と第１商品情報とのマッチング処理を行って第１商品−第２商品間の関連を記述した関連付けテーブルを作成・更新する機能と、をさらに有し、注文票データの作成の際は関連付けテーブルを参照して第１商品−第２商品間の対応付けを行って作成することを特徴としている。
【００４５】
請求項２９記載の発明は、無線通信機能を備えるユーザの携帯端末に対して第２の商品を販売する第２の販売者のサーバ装置であって、携帯端末から、第１の販売者のシステムが作成した注文票データをもとに発行された第２商品注文情報を受信して第２商品の提供処理を行う機能と、第１販売者に対して支払う対価の計算を行い対価情報を含む対価支払情報を第１販売者のシステムに送信する機能と、を有することを特徴としている。
【００４６】
請求項３０記載の発明は、請求項２９記載の発明において、第１販売者のシステムから第１商品購入記録情報を取得する機能と、第１商品購入記録情報を参照して、その購入された第１商品に第２の販売者の販売する第２商品を関連付ける処理を行う機能と、ユーザ単位の第１商品購入記録情報と、その情報に関連付けされた第２商品の商品情報とを組で表示情報として含み、第２商品の商品情報項目の選択動作を契機として第２商品注文情報を当該サーバに送信するよう処理指定を記述した注文票データを作成する機能と、注文票データを携帯端末に送付する機能と、を有することを特徴としている。
【００４７】
請求項３１記載の発明は、請求項３０記載の発明において、第２商品の商品情報を保持し、第１販売者のシステムから第１商品の商品情報を取得する機能と、取得した第１商品情報と第２商品情報とのマッチング処理を行って第１商品−第２商品間の関連を記述した関連付けテーブルを作成・更新する機能と、をさらに有し、注文票データの作成の際は関連付けテーブルを参照して第１商品−第２商品間の対応付けを行って作成することを特徴としている。
【００４８】
請求項３２記載の発明は、無線通信機能を備えるユーザの携帯端末に対して第１の商品を販売する第１の販売者のシステムを構成するものであり、センターのサーバ装置に通信網を介して接続される端末装置であって、サーバ装置と通信し第１商品の販売に関わる処理を実行する機能と、携帯端末から短距離通信により第１商品注文情報を受信し第１商品の提供処理を行う機能と、第１商品の提供処理に伴い第１商品購入の記録を行う機能と、を有することを特徴としている。
【００４９】
請求項３３記載の発明は、第１商品購入記録情報を参照して、その購入された第１商品に第２の販売者の販売する第２商品を関連付ける処理を行い、ユーザ単位の第１商品購入記録情報と、その情報に関連付けされた第２商品の商品情報とを組で表示情報として含み、第２商品の商品情報項目の選択動作を契機として第２商品注文情報を第２販売者のサーバ装置に送信するよう処理指定を記述した注文票データを作成する機能と、注文票データを短距離通信により携帯端末に送付する機能と、をさらに有することを特徴としている。
【００５０】
【発明の実施の形態】
以下、本発明の実施の形態を添付図面を参照しながら詳細に説明する。以下の実施形態の電子購入システムにおいて本発明の電子購入方法で処理が実行される。図１は、本発明の第１の実施の形態における電子購入システム１００の構成を示す図である。第１の実施形態の電子購入システム１００は、第１の販売者の情報処理システム（以下、第１販売者システム）１０、第２の販売者の情報処理システム（以下、第２販売者システム）２０、ユーザの携帯端末３０の三者を基本的な構成要素とする。これらは公衆回線網等の通信ネットワークを介して接続され、各要素間で所定の通信処理が行われる。ユーザの携帯端末３０は、携帯電話機等の無線端末装置であり、移動ノードである。
【００５１】
第１販売者システム１０は、第１の商品（Ｐ１とする）を販売する。特に、第１の販売者のサーバ装置（以下、第１販売者サーバ）Ｓ１において第１商品Ｐ１の購入に関する注文受け付け・受領処理及び第１商品Ｐ１の提供処理を行う。第１の商品Ｐ１は、物品、サービス、ディジタルデータ等いずれでも良い。商品Ｐ１の販売手続きにおける電子的に処理可能な部分に関しては第１販売者システム１０内において情報処理される。
【００５２】
第２販売者システム２０は、第２の商品（Ｐ２とする）を販売する。特に、第２の販売者のサーバ装置（以下、第２販売者サーバ）Ｓ２において第２商品Ｐ２の購入に関する注文受け付け・受領処理及び第２商品Ｐ２の提供処理を行う。第２の商品Ｐ２は、物品、サービス、ディジタルデータ等いずれでも良い。商品Ｐ２の販売手続きにおける電子的に処理可能な部分に関しては第２販売者システム２０内において情報処理される。
【００５３】
携帯端末３０は、電子購入システム１００を利用して商品（Ｐ１、Ｐ２）の購入を行うユーザ（購入者）の所持する無線端末装置であり、携帯電話機やＰＤＡ等の無線通信機能を備えた移動可能タイプの装置が該当する。以下では主に携帯端末３０が携帯電話機であると想定して説明する。
【００５４】
本発明の電子購入システムは、ユーザ（商品購入者）の携帯端末（３０）、第１商品を販売する第１販売者システム（１０）、及び第２商品を販売する第２販売者システム（２０）の三者の間において、ユーザの携帯端末による第１販売者システムからの第１商品の注文・購入に基づき、ユーザの第１商品購入結果の記録情報とその購入された第１商品に関連した第２商品の商品情報とを組で含んだ情報データを作成してユーザの携帯端末に送付する。ユーザは携帯端末でその情報データを閲覧して第１商品購入記録情報を確認できると共にそれと組の第２商品の商品情報を見ることができる。この情報データはマークアップ言語等で記述され電子メール等の所定形式で送付される。上記情報データは、第２商品の商品情報の項目の選択動作を契機として対応する注文情報が自動発行されるように記述されており、ユーザは、選択・クリック等の簡単な操作で希望の第２商品の注文を実行できる。ユーザの操作を契機として第２商品の注文情報が発行されて第２販売者システムに対して送信される。上記情報データは、第２商品の注文が実行可能なように記述されているので、以下、注文票データ（Ｎ）と呼ぶことにする。第２販売者は当該システムを利用して売り上げた第２商品の数などの所定の基準に基づき第１販売者システムに対して対価（第２商品広告効果に対する対価）の支払を行う。第１販売者からユーザの携帯端末への上記情報データの送付の際は、この情報データの形式及び送付処理で使用するプロトコルに対応した、携帯端末のアドレス情報が必要となるが、そのアドレス情報は第１商品の注文処理の際に第１販売者システム側に送信される。以上のような点が本発明の大きな特徴である。
【００５５】
本発明のシステムにおいてユーザの携帯端末に送付されるのは、あくまでユーザによる第１商品の購入記録情報とそれに関連する（本システムによって関連付けされた）第２商品の商品情報との組であり、ユーザが特に興味の無い第２商品の商品情報が無作為に送付される訳ではないため、そのような一方向的な商品情報提供手法（広告手法）のような煩わしさはない。また、上記情報データによりユーザに対し第２商品の購入を促すことができる（第２商品の広告効果がある）。ユーザは、自身の利用・購入した第１商品の記録情報と、それに対応する第２商品の商品情報とを見比べて第２商品に興味が生じた場合はその注文を実行することができる。また、ユーザは特に気が向かなければ関連第２商品の商品情報を見る必要はないという自由度がある。また、第２商品の注文を簡単な操作（選択確定や１クリック等の操作）で行えるため便利である。
【００５６】
第１商品Ｐ１を販売する第１販売者と、第２商品Ｐ２を販売する第２販売者とで、何らかの関連性を有する（関連性を見出せる）ような商品をそれぞれ販売している場合に、本電子購入システムを適用して商品間の関連付けを行ってユーザに対して商品の販売が行われる。商品Ｐ１−Ｐ２間の関連付けは、第１商品購入記録情報（Ｔ１）と第２商品情報（Ｌ２）とのマッチングや、商品情報（Ｌ１、Ｌ２）同士のマッチング処理等により行う。また、第１商品−第２商品間の関連を記述した関連付けテーブルＲを作成して第１販売者システム１０内あるいは第２販売者システム２０内に保持してそれを必要に応じて参照して商品対応付けを行う。
【００５７】
図２を参照して第１の実施形態の電子購入システム１００での処理の概要を説明する。まず、ユーザが自身の所持する携帯端末３０を操作して第１販売者システム１０の第１販売者サーバＳ１に対して第１商品Ｐ１の購入のための注文処理（注文情報ａの送信処理）を行う（図１−（１））。注文情報ａには携帯端末３０のアドレス情報である携帯端末アドレス情報Ａ３が含まれる。ユーザによる第１商品Ｐ１の購入処理＝第１販売者による注文情報ａを受領しての商品Ｐ１提供処理（同（２））に併せて、第１販売者システム１０においてユーザの第１商品Ｐ１の購入結果に関する情報がテーブルＴ１に記録される（同（３））。ユーザ単位の第１商品購入記録情報Ｔ１’と、その購入記録された第１商品Ｐ１に関連付けされた第２商品Ｐ２の商品情報Ｌ２’とが表示情報として記述された情報データ（注文票データＮ）がマークアップ形式、電子メール形式等で作成され（同（４））、ユーザの携帯端末３０に対して携帯端末アドレス情報Ａ３を宛先情報として用いて送付される（同（５））。
【００５８】
一方、ユーザの携帯端末３０では、受信した注文票データＮを随時表示でき、ユーザは、注文票Ｎの表示情報を閲覧して、第１商品Ｐ１の購入記録情報Ｔ１’を参照することができると共に、自身が購入した第１商品Ｐ１に関連した別販売者の第２商品Ｐ２の商品情報Ｌ２’を参照することができる。第２商品情報Ｌ２’は、ユーザによる選択確定操作等を契機として商品項目に対応する注文情報ｂが発行されて第１販売者サーバＳ２に対し送信処理される形式のデータとして構成されており、ユーザは購入希望の第２商品Ｐ２の項目を選択して注文を実行することができる（同（６）、（７））。
【００５９】
第２販売者システム２０では、携帯端末３０からの注文情報ｂの受領に応じて第２商品Ｐ２の提供処理を行う（同（８））。また併せてユーザによる第２商品Ｐ２の購入に関する情報の記録をテーブルＴ２に行う（同（９））。
【００６０】
第１商品Ｐ１と第２商品Ｐ２とが関連付けされることにより第２販売者は第１販売者から第２商品の広告効果を得ているのでその対価の支払い処理を行う。第２販売者システム２０は、所定タイミングで、第１販売者システム１０に対して、第２商品の販売結果等の所定の基準に基づき広告効果に対する対価の計算を行い対価支払い情報ｃを送信する（同（１０））。
【００６１】
次に、いくつかの条件等について説明する。本発明において、第１の商品Ｐ１は、物品、サービス、ディジタルデータ等いずれでも良い。また、第２の商品Ｐ２も、物品、サービス、ディジタルデータ等いずれでも良い。「商品購入処理」として、商品がディジタルデータの場合は、注文情報の送信から商品データの受信までを含む手続きとする。また、商品が物品やサービスの場合は、物品の取得やサービスの実行・終了までを含む手続きとする。「商品注文処理」としては、商品が物品、サービス、ディジタルデータなどいずれの形式であるかに関わらず、注文情報が販売者側サーバに対して送信され、受領される処理であるとする。販売者システム側での注文受領後は商品の性格に応じて異なる商品提供処理が行われる。「商品提供処理」として、商品がディジタルデータの場合なら、注文情報の受信・受領に基づき即時あるいは所定処理完了後にユーザの携帯端末３０に対して商品データを送信（ダウンロード）する処理がある。なお商品が物品の場合の物品配送や、商品購入に伴う代金支払い・決済処理等は本発明に特徴の概念の範囲ではなく他システムが使用される。
【００６２】
以下、必要に応じて、第１商品がカラオケサービス、第２商品が着メロデータである場合を例に説明する。
【００６３】
本発明で扱う対象となる商品Ｐ１、Ｐ２は、それぞれ別販売者により販売される商品であるが、何らかの関連性を有しているものである。関連性は、商品情報同士のマッチング処理等により見出される。図９、図１０に商品情報Ｌ１、商品情報Ｌ２の例をそれぞれ示す。商品情報のマッチング処理により第１商品−第２商品間の関連付けがなされ、その関係・対応を示す関連付けテーブルＲが作成されてシステム内に保持される。第１の実施形態のシステムでは、関連付けテーブルＲを予め第１販売者システム１０内に保持する。
【００６４】
関連付けテーブルＲは、人間の作業により関連付け作成する場合と、コンピュータによる情報処理により作成処理する場合とがある。第１の実施形態のシステム１００では、関連付けテーブルＲは上記いずれの手法により作成されても良い。
【００６５】
また、予め関連付けテーブルＲを作成しておいて第１販売者システム１０内あるいは第２販売者システム２０内に保持しておく場合と、ユーザによる商品購入の発生に伴って随時、商品Ｐ１−Ｐ２間の関連付け処理を実行する場合とが考えられる。これに関してもいずれの手法でも良いが、第１の実施形態のシステム１００では、予めコンピュータあるいは人間による第１商品情報Ｌ１と第２商品情報Ｌ２とのマッチング処理等により関連付けテーブルＲが作成されており、それを第１販売者システム１０内に保持し、ユーザによる第１商品購入が発生した際にその関連付けテーブルＲを参照し、テーブルＲに記述されている関連付け情報に基づきユーザの購入した第１商品Ｐ１に第２商品Ｐ２を対応付けて注文票データＮを作成する。
【００６６】
図８に関連付けテーブルＲの例を示す。商品を商品ＩＤ（識別子）で識別し、商品間の関係・対応をリンクで示した。テーブルＲの形式はどのようなものでも良い。便宜的に第１商品ＩＤ（ｐ１）の値をｐ１−ｘの形で、第２商品ＩＤ（ｐ２）の値をｐ２−ｙの形で示した。商品Ｐ１−Ｐ２間で完全に１：１対応になる場合もあるし、それに限らず、１つの商品Ｐ１に複数の商品Ｐ２が関連付けされる場合、複数の商品Ｐ１に１つの商品Ｐ２が関連付けされる場合等も有り得る。
【００６７】
電子購入システム１００では、ユーザが携帯端末３０を操作して第１販売者サーバＳ１に対し第１商品Ｐ１の注文処理を実行して第１商品の購入を行うと、第１商品購入記録情報を第１販売者システム１０内のテーブルＴ１に記録して購入履歴として管理する。第１販売者システム１０では、ユーザによる第１商品購入記録をもとに、ユーザ単位の第１商品購入記録情報Ｔ１’とそれに関連付けされた第２商品の商品情報である第２商品情報Ｌ２’とを組で表示情報として含んだ情報を記述した注文票データＮを作成し、これをユーザの携帯端末３０へ送付する。これは、ユーザ側から見ると、自身が購入した第１商品Ｐ１に関する購入記録情報（購入履歴及びその他詳細情報等）が届くことであり、まずは第１商品販売サービスにおけるサービス拡張であると見なせる。そしてさらに第１商品購入記録情報Ｔ１’と組で関連第２商品の商品情報Ｌ２’が提供され、第２商品の商品情報提供処理（広告処理）と結合したものとなっている。具体例では、ユーザがカラオケサービス（第１商品）を受けた（＝購入した）行為に基づきそれに関する情報が第１商品購入記録情報Ｔ１として第１販売者システム１０（サーバＳ１）に記録され、ユーザのカラオケサービスの購入記録（利用記録）情報Ｔ１’と、利用したカラオケ楽曲に関連する着メロデータ（第２商品）（特に同一楽曲の着メロデータ）の商品情報Ｌ２’を組で含む注文票データＮが作成されてユーザの携帯端末３０へ送付される。
【００６８】
携帯端末アドレス情報（ユーザ携帯アドレス情報）Ａ３は、例えば電子メールアドレスなど、本システム中において携帯端末３０を一意に特定するＩＤ（識別子）となる情報であり、かつ、携帯端末３０に対し注文票データＮ等を送付する際に宛先として使用するものである。この携帯端末アドレス情報Ａ３は、携帯端末３０から第１販売者システム１０への第１商品Ｐ１の注文処理の際に送信される。つまり第１商品注文情報ａ内に記述されるかあるいは第１商品注文情報ａと同時に送信される。
【００６９】
再び図２を参照して、本電子購入システム１００においてユーザが商品の購入を行う場合の一連の処理についてその動作を詳細に説明する。まず、処理（１）として、ユーザは、自身の所持する携帯端末３０を操作し、第１販売者システム１０の第１販売者サーバＳ１に対して第１商品Ｐ１の注文処理を実行する。携帯端末３０から第１販売者サーバＳ１に対し、第１商品注文情報ａが送信される。第１商品商品情報ａには、少なくとも、注文対象の第１商品の商品ＩＤｐ１、及び、携帯端末アドレス情報Ａ３が含まれる（図１２）。またその他のユーザ情報等が含まれる形態でも良い。なお、第１商品の注文処理の前に、携帯端末３０において第１商品に関する所定の商品情報（Ｌ１等）を表示・閲覧させてその中から第１商品Ｐ１に関する注文を実行させるような処理があっても良い。
【００７０】
なお、携帯端末アドレス情報Ａ３は、第１販売者システム１０が携帯端末３０に対し注文票データＮを送付する際に主に使用されるアドレス情報であり、本電子購入システムにおけるその他の通信処理のステップ（第１商品注文情報ａの送信処理や第２商品注文情報ｂの送信処理時など）においては、そこで使用する通信プロトコルに応じて必要な送信元及び送信先アドレス情報が使用される。
【００７１】
次に、処理（２）として、第１販売者サーバＳ１における注文情報ａの受信及び注文受領処理に基づき、要求された第１商品Ｐ１をユーザに対して提供する商品提供処理が行われる。商品がディジタルデータの場合ならデータ送信処理（ダウンロード処理）、物品の場合なら配送手続き処理、サービスの場合なら所定サービス処理の実行などである。
【００７２】
次に、処理（３）として、第１販売者システム１０では、ユーザによる商品Ｐ１の注文及び購入に伴い、第１商品購入記録テーブルＴ１にユーザによる商品購入に関する情報の記録を行う。ユーザが商品Ｐ１におけるどの商品（商品ＩＤｐ１で識別）をいつ購入したか等の情報が記録される（図６）。なお、携帯端末３０からの注文受領のタイミングでテーブルＴ１への記録処理を行うなどでも良い。
【００７３】
次に、処理（４）として、ユーザによる商品Ｐ１の購入後、所定のタイミング（所定時間経過、所定数の商品購入等）で、第１商品購入記録情報Ｔ１（ユーザ単位の第１商品購入記録情報Ｔ１’）、第１商品−第２商品関連付けテーブルＲ、第２商品情報Ｌ２等を参照して、ユーザが購入した第１商品Ｐ１に関連する第２商品の対応付けを行う。商品間の関連付けがテーブルＲで予めなされている形態の場合はテーブルＲを参照すれば対応付けを行うことができる。商品購入に伴い随時関連付けを実行する形態の場合は、商品関連付け処理を新たに実行して関連付け・対応付けを行う。
【００７４】
そして、第１商品購入記録情報Ｔ１から抽出したユーザ単位の第１商品購入記録情報Ｔ１’と、それに対応付けされた第２商品Ｐ２の商品情報Ｌ２’とを表示情報として含んだ形式の注文票データＮの作成を行う。注文票データＮは、例えば電子メール＋添付ファイルの形式や、所定のマークアップ言語で記述された形式等により構成される。第１販売者システム１０は、第２商品情報Ｌ２を第２販売者システム２０から予め取得して保持しておくなどし、それを利用して第２商品情報Ｌ２’を作成することができる。注文票データＮは、特に第２商品の項目が選択・クリックされる等の動作を契機として対応する注文情報ｂが発行されるよう処理指定が内部情報として記述される。
【００７５】
次に、処理（５）として、第１販売者システム１０は、作成した注文票データＮを携帯端末アドレス情報Ａ３をもとに携帯端末３０に送付する。送付処理には注文票データＮの形式に対応した所定の通信プロトコルが使用される。例えば注文票データＮを電子メール＋添付ファイルの形式で作成する形態の場合、アドレス情報Ａ３として電子メールアドレスを用い、送信処理には所定の電子メールプロトコルを用いる。携帯端末３０は、端末の備える無線通信機能を通じて注文票データＮを受信しメモリに記憶する。
【００７６】
次に、処理（６）として、携帯端末３０において、第１販売者システム１０から受信しメモリに記憶した注文票データＮについて、ユーザによる操作等に基づき端末表示画面への出力表示処理を行い、注文票データＮの表示情報をユーザに閲覧させる。注文票データＮは、表示情報と表示されない内部情報とを持ち、表示情報として、上記第１商品購入記録情報Ｔ１’と第２商品情報Ｌ２’を表示する。両方の情報を組で一覧として同時に表示する形態でも良いし、別々の画面で表示する形態でも良い。ユーザは、表示画面にて、自身の購入（利用）した第１商品Ｐ１について確認することができると共に、それに関連付けされた第２商品Ｐ２の商品情報Ｌ２’を見ることができる。ユーザは、購入希望の第２商品Ｐ２が商品情報Ｌ２’中に存在する場合は、その商品項目を選択して購入決定する簡単な操作を携帯端末３０にて行う。
【００７７】
次に、処理（７）として、ユーザにより購入希望の第２商品の項目が選択され購入確定の操作がなされると、携帯端末３０は、注文票データＮに記述されている各種の情報に基づき、選択された第２商品に対応する第２商品注文情報ｂを発行して第２販売者サーバＳ２に対して送信する。注文票データＮには、第２販売者サーバのアドレス情報Ａ２や、第２商品ＩＤｐ２等の情報が内部情報として記述されており、また、注文情報ｂの発行、送信処理の指示も記述されているのでそれに基づき携帯端末３０で処理が行われる。
【００７８】
次に、処理（８）として、第２販売者システム２０の第２販売者サーバＳ２では、携帯端末３０から注文情報ｂを受信して注文受領処理を行い、要求された第２商品Ｐ２についてユーザに提供する商品提供処理を行う。
【００７９】
次に、処理（９）として、第２販売者システム２０において、ユーザによる第２商品Ｐ２の購入に伴い、第２商品購入記録テーブルＴ２にユーザによる商品購入に関する情報の記録を行う。ユーザが商品Ｐ２におけるどの商品（商品ＩＤで識別）をいつ購入したか等の情報が記録される。なお、携帯端末３０からの注文受領のタイミングで記録処理を行うなどでも良い。
【００８０】
次に、処理（１０）として、第２販売者システム２０は、所定タイミングで、第２商品購入記録テーブルＴ２等の情報を参照して第２商品Ｐ２の販売の状況について確認し、第２商品Ｐ２の販売実績等の所定の基準に基づき、第１販売者に対して支払う対価（＝第２商品Ｐ２の広告効果に対する対価）の計算を行い、支払われる対価等の情報を含む対価支払い情報ｃを第１販売者システム１０に対し送信する。第１販売者システム１０側では、受信した対価支払い情報ｃに基づき、所定基準に基づく対価が正常に支払われていることの確認処理を行う。システム１００における動作の流れは以上の通りである。
【００８１】
次に、電子購入システム１００における各構成要素の機能ブロック構成及び処理等について説明する。
【００８２】
図３に本発明の実施形態のシステムにおける携帯端末３０の機能ブロック構成を示す。携帯端末３０は、無線通信機能３１、第１商品注文機能３２、注文票受信記憶機能３３、注文票表示機能３４、第２商品注文機能３５等を有する。その他、図示していないが、ＣＰＵ等の制御処理装置、ＲＯＭ、ＲＡＭ等のメモリ装置、キー入力装置等の入力手段、ディスプレイ装置等の出力手段、アンテナ及び無線通信処理回路等を備える。プログラム制御により各種機能が制御される。なお、点線で区切って示したのは他の実施形態において備える機能である。
【００８３】
携帯端末３０は、無線通信機能３１を通じて他の携帯端末３０等と音声通信を行ったり（携帯電話機の場合）、またデータ通信によりＷｅｂ情報を参照したり電子メールの送受信を行うなどの処理が可能である。携帯端末３０と、第１販売者サーバＳ１あるいは第２販売者サーバＳ２との通信処理において、無線通信機能３１を使用する。
【００８４】
第１商品注文機能３２は、無線通信機能３１等を用いて、第１販売者システム１０に対して第１商品Ｐ１の注文処理を実行する機能である。第１商品Ｐ１の注文の実行時に、第１商品注文情報ａを第１販売者サーバＳ１に対して送信する処理を行う。このとき、注文情報ａに、携帯端末アドレス情報Ａ３を含んだ形で注文処理が行われる。時間的に後に、注文情報ａ中に含まれた携帯端末アドレス情報Ａ３を用いて、第１販売者システム１０側から携帯端末３０に対し注文票データＮが送付される。
【００８５】
注文票受信記憶機能３３は、無線通信機能３１等を通じて、第１販売者システム１０から送付される注文票データＮを受信し、端末内のメモリに記憶して保持しデータを管理する処理を行う。注文票データＮの形式に応じたデータ受信処理となる。メモリに保持された注文票データＮは、ユーザによる操作等に応じて読み出して表示装置画面への出力表示が可能である。複数の注文票データＮを保持することも行う。ユーザは、携帯端末３０で受信した注文票データＮを好きなタイミングで閲覧することができ、特に望まなければ閲覧する必要はない。また、機能３３として、ユーザが必要なければ注文票データＮを消去できる機能を備えても良い。注文票データＮの消去がユーザにより操作指示された場合、注文票受信記録機能３３は、メモリに保持している注文票データＮのうち指定のものを消去する処理を行う。
【００８６】
注文票表示機能３４は、第１販売者システム１０から送付された注文票データＮについて携帯端末３０の表示装置画面に出力表示する機能である（端末３０が液晶ディスプレイ等の所定の表示装置を備えていることが前提となっている）。注文票表示機能３４では、ユーザの操作に基づき注文票Ｎの内容（表示情報）を画面に表示する処理を行う。また、注文票Ｎを端末３０に複数保持している場合などにその中から選択表示する制御を行う機能をさらに備えていても良い。携帯端末３０における注文票Ｎの表示例を図１４に示す。注文票Ｎの表示情報として、第１商品購入記録情報Ｌ１’と、それに関連付けされた第２商品の商品情報Ｌ２’とを含んだ情報が注文票データの構造に基づいた所定の表示形式で端末３０の表示装置画面に表示される。
【００８７】
第２商品注文機能３５は、端末３０の表示装置画面に表示された注文票Ｎの表示情報中からユーザにより第２商品Ｐ２の注文が選択決定されたときに、選択された第２商品Ｐ２に関する注文情報ｂを注文票データＮ中の内部記述情報をもとに発行し、その注文情報ｂを第２販売者システム２０（第２販売者サーバＳ２）に対して送信する処理を無線通信機能３１等を通じて実行する。第２商品注文情報ｂは、電子メール、ＨＴＴＰによるアクセス等の所定の形式となる。第２商品注文情報ｂの形式に応じたデータ送信処理となる。注文票データＮには、表示されない内部情報として、第２販売者サーバアドレス情報Ａ２や第２商品ＩＤｐ２、第１販売者サーバアドレス情報Ａ１（確認用）等の情報及び携帯端末３０で実行させる処理を指定する処理指定情報が商品項目ごとに対応付けられて記述されているので、携帯端末３０ではそれらの情報に基づきユーザにより選択された第２商品Ｐ２の注文情報ｂを発行して注文処理を実行する。
【００８８】
第２商品注文情報ｂには、宛先情報として第２販売者サーバアドレス情報Ａ２、注文対象商品のＩＤである第２商品ＩＤｐ２、確認のための第１販売者サーバアドレス情報Ａ１、第２商品Ｐ２の提供処理のためにサーバＳ２に参照される携帯端末アドレス情報Ａ３、その他必要なユーザ情報や注文の意志を示すメッセージやコード等の情報が含まれる。第２商品注文情報ｂの例は図１３に示される。
【００８９】
第１販売者サーバＳ１は、第１商品販売機能１１、第１商品販売記録機能１２、注文票作成機能１３、注文票送付機能１４、対価支払い確認機能１５等を有する。なお点線で区切って示したのは他の実施形態において備える機能である。
【００９０】
第１商品販売機能１１は、第１商品Ｐ１の販売を行う機能であり、サーバ機能により第１商品の注文のアクセスを受け付けて、注文情報ａの受信に基づき注文受領処理を行い、商品Ｐ１の性格に応じた商品提供処理を行う機能である。特に商品Ｐ１がディジタルデータの場合は、商品データを携帯端末３０に送信（ダウンロード）する処理がある。なお図中に示した第１商品Ｐ１には商品の販売手続きに関わる情報群を含むものとする。
【００９１】
第１商品販売記録機能１２は、第１商品Ｐ１の販売（＝ユーザによる購入）に伴い第１商品購入記録テーブルＴ１にユーザによる第１商品Ｐ１の購入に関する情報の記録を行う機能である。図６に、第１商品購入記録テーブルＴ１について示す。テーブルＴ１には、ユーザの携帯端末アドレス情報Ａ３、第１商品ＩＤｐ１（具体例の場合ではカラオケ楽曲の選曲番号及び楽曲名、歌手名等のテキスト情報）、購入日時などその他情報を含むレコードが随時追加記録される。
【００９２】
テーブルＴ１は、特に、第１販売者システム１０を利用する全ユーザについての第１商品の購入記録であり、ユーザによる第１商品の注文・購入（＝第１販売者による第１商品の販売）の発生に伴い１件づつレコードが追加記録される。これは第１販売者システム１０における第１商品販売処理の履歴情報と言い換えることもできる。図では例として、１件のレコードとして、ユーザの携帯端末アドレス情報Ａ３、選曲番号（＝第１商品ＩＤ）、楽曲名・歌手名のテキスト情報、購入日時等の情報が記録されている。なおここでは、第１商品ＩＤは選曲番号によって表現されている。
【００９３】
また、図７は、ユーザ単位の第１商品購入記録情報を記録するテーブルＴ１’を示す図である。テーブルＴ１’は、注文票Ｎとしてユーザ単位の第１商品購入記録情報を記述するために使用される。第１商品販売記録機能１２は、第１商品購入記録テーブルＴ１を第１販売者システム１０内に保持管理する。
【００９４】
テーブルＴ１’は、特に、ユーザ単位の第１商品の購入記録であり、全ユーザによる購入記録であるテーブルＴ１から抽出可能である。図では例として、ユーザを識別するユーザＩＤともなる携帯端末アドレス情報Ａ３と共に、選曲番号（＝第１商品ＩＤ）、楽曲名・歌手名のテキスト情報、購入日時等からなるレコードが購入数分抽出されている。特に、購入日時情報等の所定の基準に基づきレコードを整列する処理等の変換を行ってユーザに対して提供する情報とする。なお、最初からユーザ単位で購入記録を行うように処理する形態でも良い。
【００９５】
注文票作成機能１３は、所定タイミングで注文票データＮを作成する処理を行う。第１商品購入記録情報Ｔ１（Ｔ１’）、関連付けテーブルＲ、第２商品情報Ｌ２等の情報を参照、利用し所定の注文票データフォーム（テンプレート）をもとに注文票データＮの作成が行われる。注文票データＮは、ユーザ単位の第１商品購入記録情報Ｔ１’とこれに対応付けされた第２商品情報Ｌ２’とを組で表示情報（端末３０の表示画面に表示させる情報）として含む。また、表示される必要はないが内部に記述される情報として、第２販売者サーバアドレス情報Ａ２、第１販売者サーバアドレス情報Ａ１（確認用）、第２商品ＩＤｐ２、携帯端末３０に対する処理指定情報等を含む。
【００９６】
注文票送付機能１４は、注文票作成機能１３により作成された注文票データＮについて、携帯端末アドレス情報Ａ３を宛先として携帯端末３０に送付する処理を行う。所定の通信プロトコルを用いて送付処理が行われる。
【００９７】
対価支払い確認機能１５は、第２販売者システム２０から支払われる対価について正常に支払われたかを確認する処理を行う。第２販売者システム２０から送信される対価支払い情報ｃを受信して記憶しておき、対価支払情報ｃに含まれている対価情報を確認する。また対価支払い確認機能１５では、携帯端末３０から、対価支払確認処理用の情報として注文情報ｂのコピー（携帯端末３０での第２販売者サーバＳ２への第２商品注文情報ｂの送信処理の際に同時に第１販売者システム１０に対しても送信される）を受信し保持するので、それも参照して正常に対価が支払われているかの確認を行う。
【００９８】
第２販売者サーバは、第２商品販売機能２１、第２商品販売記録機能２２、対価支払い機能２３等を有する。なお点線で区切って示したのは他の実施形態において備える機能である。
【００９９】
第２商品販売機能２１は、第２商品Ｐ２の販売を行う機能であり、サーバ機能により第２商品の注文のアクセスを受け付けて、注文情報ｂに基づき注文受領処理を行い、商品Ｐ２の性格に応じた商品提供処理を行う機能である。特に商品Ｐ２がディジタルデータの場合は、商品データを携帯端末３０に送信（ダウンロード）する処理がある。
【０１００】
第２商品販売記録機能２２は、第２商品Ｐ２の販売（＝ユーザによる購入）に伴い第２商品購入記録テーブルＴ２にユーザによる第２商品Ｐ２の購入に関する情報の記録を行う機能である。テーブルＴ２には、ユーザの携帯端末アドレス情報Ａ３、第２商品ＩＤ（具体例の場合では着メロデータのＩＤ及び楽曲名、歌手名等の情報）、購入日時などその他情報を含むレコードが随時追加記録される。第２商品販売記録機能２２は、第２商品購入記録テーブルＴ２を第２販売者システム２０内に保持管理する。
【０１０１】
対価支払い機能２３は、第２商品購入記録情報Ｔ２等を参照して第１販売者に対して支払う対価（＝第２商品の広告効果に対する対価）の計算処理と、対価情報を含んだ対価支払い情報ｃの送信処理を行う。所定タイミングで、所定の基準に基づき対価が計算される。例えば第２商品Ｐ２の販売実績等が計算基準となる。なお、商品Ｐ２の販売における代金徴収や決済処理等は所定の決済手段により行われる。
【０１０２】
図９は、第１商品情報Ｌ１の例について示す図である。第１商品Ｐ１における各単位商品について、商品ＩＤ、商品名等のテキスト情報、その他詳細な説明情報等の組からなる情報（レコード）が有り、その情報のリストからなる。例えば商品Ｐ１がカラオケ楽曲の場合に楽曲名や歌手名等のテキスト情報を含んでいる。商品情報Ｌ１は、テキスト情報を中心として他に画像データなどを含んだマルチメディア形式等であっても良い。商品情報Ｌ１（及びＬ２）は、商品Ｐ１−Ｐ２間の関連付けを行うために参照される情報であるが、その商品情報Ｌ１があるいはそれとは別に用意される第１商品情報が、ユーザが携帯端末３０において商品Ｐ１の注文処理を行うための情報として閲覧可能な形式で提供されても良い。
【０１０３】
図１０は、第２商品情報Ｌ２の例について示す図である。商品Ｐ２における各単位商品について、第２商品ＩＤ、商品名等のテキスト情報、その他詳細な説明情報等の組からなる情報（レコード）が有り、その情報のリストからなる。例えば商品Ｐ２が着メロデータの場合に楽曲名や歌手名等の情報を含んでいる。商品情報Ｌ１は、テキスト情報を中心として他に画像データなどを含んだマルチメディア形式等であっても良い。第１販売者システム１０では、第２商品情報Ｌ２をもとに第２商品情報Ｌ２’が作成され注文票データＮに記述される。
【０１０４】
上記の商品情報Ｌ１、Ｌ２の例では、双方の情報において楽曲名や歌手名等のテキスト情報を含んでいるため、商品情報同士のマッチング処理により、同一の語を見出すことができ、それをもって商品同士の関連付けを行うことができる。
【０１０５】
図１１は、第２商品情報Ｌ２’について示す図である。第２商品情報Ｌ２’は、ユーザが購入した第１商品に関連付けされた第２商品Ｐ２の商品情報である。第２商品情報Ｌ２から抽出、変換することなどにより作成可能である。第２商品情報Ｌ２’は、第１商品購入記録情報Ｌ１’、関連付けテーブルＲ、第２商品情報Ｌ２等の情報を参照して生成される。図では例として、ユーザの購入した第１商品（第１商品ＩＤｐ１で特定される）と１：１対応で関連付けされた第２商品についての情報を示している。第２商品情報Ｌ２’は、第１商品購入記録情報Ｌ１’と共に注文票Ｎにおける表示情報となる。特に１：１対応に限らず、関連付けテーブルＲでの関連付けに従って商品間の対応付けがなされる。
【０１０６】
図１２は、第１商品注文情報ａの例について示す図である。第１商品注文情報ａには、第１販売者サーバアドレス情報Ａ１、注文対象商品の第１商品の商品ＩＤｐ１、携帯端末アドレス情報Ａ３を含む。その他、必要なユーザ情報や注文の意志を示すメッセージやコード等の情報等が含まれても良い。第１販売者サーバアドレス情報Ａ１は、第１販売者サーバＳ１にアクセスするためのアドレス情報である。携帯端末アドレス情報Ａ３は、第１販売者システム１０により注文票データＮ等を携帯端末３０に送付する際に使用される。なお、第１販売者サーバＳ１との間で使用する通信プロトコルに応じて他のアドレス情報なども使用される。
【０１０７】
図１３は、第２商品注文情報ｂの例について示す図である。第２商品注文情報ｂには、第２販売者サーバアドレス情報Ａ２、注文対象商品の第２商品の商品ＩＤｐ２、第１販売者サーバアドレス情報Ａ１、携帯端末アドレス情報Ａ３、その他必要なユーザ情報や注文の意志を示すメッセージやコード等の情報等が含まれる。第２販売者サーバアドレス情報Ａ２は、第２販売者サーバＳ２にアクセスするためのアドレス情報である。第１販売者サーバアドレス情報Ａ１は、確認用の情報であり、第２販売者システム２０は、このアドレス情報などから本電子購入システムを利用しての商品購入であると認識できる。また、注文情報ｂにおける携帯端末アドレス情報Ａ３は、注文情報ｂの送信元情報として、あるいは、第２販売者システム２０側から携帯端末３０に対し第２商品Ｐ２（ディジタルデータ）等を送信処理する際の宛先情報として使用している。第２販売者システム２０間で送受信する情報の形式及び使用する通信プロトコルに応じて携帯端末アドレス情報Ａ３ではなく他のアドレスを使用する形態でも良い。なお、第２販売者サーバＳ２との間で使用する通信プロトコルに応じて他のアドレス情報なども使用される。第２商品注文情報ｂは、電子メール形式等の所定形式で作成される。本実施形態においては電子メール形式によって携帯端末３０から第２販売者サーバＳ２へ第２商品注文情報ｂを送信しているが、これに限らずＨＴＴＰ等の所定の通信プロトコルを用いる処理形態でもよい。
【０１０８】
第２販売者システム２０は、注文情報ｂの受信に基づき、携帯端末アドレス情報Ａ３等を宛先情報として用いて第２商品Ｐ２の提供処理（特に商品Ｐ２がディジタルデータの場合の商品データの送信処理）を行う。また、第２商品注文情報ｂの第２販売者サーバＳ２への送信時、同時に、電子メールによる同報送信機能等により、第１販売者サーバアドレス情報Ａ１を宛先情報として用いてこの第２商品注文情報ｂ（同内容）が第１販売者システム１０へも送信され対価支払い確認処理用の情報として使用される。第２販売者システム２０は、確認用の第２商品注文情報ｂを受信し記録して、ユーザによる第２商品購入について確認するための情報として対価支払い確認処理時に参照する。
【０１０９】
第１販売者システム１０は、注文票データＮを、例えば所定のマークアップ言語で記述することにより作成する（なお本実施形態では注文票データＮの送信処理には電子メールプロトコルを用いている）。所定文法で注文票データＮの文書構造を記述し、タグでのマークアップ情報の埋め込みにより、内部情報として第２販売者サーバアドレス情報Ａ２や第２商品ＩＤｐ２などの情報を第１商品購入記録情報Ｔ１’や第２商品情報Ｌ２’等の表示情報と対応付けて記述する。また、内部情報として、表示情報中の所定箇所、所定項目が選択確定された場合にそれを契機として携帯端末３０で実行させる処理を指定する処理指定情報を所定の要素（例えばＨＴＭＬにおけるアンカータグ等）を用いて記述する。処理指定情報として例えば第２商品注文情報ｂの送信処理に使用するプロトコル（例えば電子メールプロトコル）と送信・アクセス先のアドレス（第２販売者サーバアドレス情報Ａ２）等の情報を記述する。望ましくは、注文票Ｎにおける表示情報において商品名あるいは商品項目等の所定箇所をハイパーリンク形式で記述し、そのリンク元箇所（テキストやイメージ）の選択・クリック等を契機として選択商品に対応する第２商品注文情報ｂが発行・送信処理されるように注文票データＮを記述する。
【０１１０】
携帯端末３０の注文票表示機能３４は、第１販売者システム１０から受信した注文票データＮについて、構文解析処理して表示処理を行う。注文票表示機能３４は、注文票データＮを先頭から読み込みながらタグを検出しタグごとの対応処理及び処理指定記述に従った処理を行い、表示情報（Ｔ１’、Ｌ２’他）の画面への表示を行う。携帯端末３０で表示装置画面に表示されている表示情報の中から、ユーザによる入力操作により或る第２商品の項目が選択確定された場合、注文票データＮに内部情報として記述されている、第２販売者サーバアドレス情報Ａ２、第２商品ＩＤ、及び第１販売者アドレス情報Ａ１などの情報と、自端末アドレス情報Ａ３、その他ユーザ情報等の情報（携帯端末３０内に保持している情報を利用する処理形態でも良いし、注文票データＮに記述しておく処理形態でも良い）とをもとに、第２商品注文機能３５により、選択された第２商品に関する第２商品注文情報ｂが発行され、第２販売者サーバＳ２に対して送信される。
【０１１１】
図１４は、携帯端末３０における表示画面への注文票データＮの表示例を示す図である。この例は、表示情報として、第１商品購入記録情報Ｔ２’と、第２商品情報Ｌ２’とを別画面で表示する制御が行われる例である。携帯端末３０において注文票データＮを解析して表示する際、注文票データＮにおける構文記述に従い、まず第１商品購入記録情報Ｔ１’のページを画面に表示する（画面１）。ここでは例えば、ある日時においてユーザが購入（利用）した第１商品に関する情報が一覧形式で表示される。画面１は、第１商品がカラオケサービスの場合であり、カラオケ楽曲名（楽曲１、楽曲２、・・）、その歌手名（歌手名Ａ、歌手名Ｂ、・・）、利用日時等の情報を表示している。
【０１１２】
画面１の第１商品購入記録情報Ｔ１’中から、或るカラオケ楽曲（第１商品）の項目が選択確定された場合（上下選択あるいは数字選択、及び確定ボタン、あるいはクリック等）、その楽曲に関連付けされた第２商品情報Ｌ２’を別ページにおいて表示する（画面２）。画面２では、カラオケ楽曲（例として楽曲１）に関連付けされた着メロデータ（例として着メロ１）（第２商品）の商品情報（Ｌ２’のうちの部分情報）が表示される。ここでは着メロの楽曲名（着メロ１、着メロ２、・・）、その歌手名、料金等の情報を表示している。
【０１１３】
この例では、楽曲１に対してまず着メロ１が、同一楽曲であるという関連性に基づき優先順位の最も高い関連商品として関連付けされている。また、「その他の関連商品」として、同一歌手（歌手名Ａ）という関連性に基づき、同一歌手の他の楽曲の着メロ商品が関連付けされている様子を示している。
【０１１４】
画面２の第２商品情報Ｌ２’中から、「以下の商品を購入できます＞」という促しのメッセージに基づき或る着メロ商品の項目がユーザにより選択確定された場合、携帯端末３０は、その商品項目に対応して注文票データＮ中に内部情報として記述されている情報に基づき、選択された第２商品の注文のための第２商品注文情報ｂを発行し、第２販売者サーバＳ２に対して送信する処理を行う。
【０１１５】
また、携帯端末３０での注文票Ｎの表示において、注文・購入希望の第２商品を複数選択可能な形式の選択項目や、１つ以上の選択商品についての注文情報を提出（転送）する役割を担う提出ボタン等を表示情報として設けるように注文票データＮを記述する形態でも良い。これにより、ユーザは、注文票Ｎの表示情報中で複数の第２商品について購入希望の商品を選択し、これら複数商品に関する注文処理を一括して実行することができる。
【０１１６】
また、携帯端末３０での注文票Ｎの表示において、ユーザによる第２商品の選択及び注文確定の実行の後に、さらに、選択商品を示す情報や注文に必要な各種ユーザ情報、その他商品購入に関わる説明情報や確認情報等をフォーム形式等で表示させてユーザの購入意志確認等を行い、提出ボタンの押下等に応じて第２商品注文情報ｂを送信させるように注文票データＮを記述する形態でも良い。また、商品注文処理の実行に伴い、所定の認証処理手法を用いて内部処理的なあるいは明示的なユーザ認証処理を行うステップを設けることが望ましい。
【０１１７】
［第２の実施形態］次に、本発明の第２の実施の形態における電子購入システム２００について説明する。図１５は、第２の実施形態の電子購入システム２００の構成を示す図である。第２の実施形態のシステム２００では、第１販売者システム１０は、中心的な装置である第１販売者サーバＳ１と、第１販売者サーバＳ１に通信網を介して接続される複数の第１販売者端末装置４０を有する。また、ユーザの携帯端末３０は、第１の実施形態における機能に加えて短距離通信機能３６をさらに有し、この機能を通じて第１販売者端末装置４０との間で短距離通信により第１商品の注文処理を実行する。
【０１１８】
携帯端末３０の短距離通信機能３６は、携帯端末３０の近傍に位置する第１販売者端末装置４０との間で短距離（狭範囲）での通信を行う機能である。短距離通信機能３６として、赤外線通信手段（ＩｒＤＡ等）やＢｌｕｅｔｏｏｔｈ等の無線通信手段やあるいは有線ケーブル接続による通信手段などを使用する。
【０１１９】
第１販売者端末装置４０は、所定の場所に設置され、第１商品の注文受け付け及び販売処理を行う。例えば、第１商品がカラオケサービスである場合、端末装置４０は通信カラオケ装置であり、指定のカラオケ楽曲の演奏処理を行う機能を有する。
【０１２０】
図１６は、第１販売者端末装置４０の構成を示す図である。第１販売者端末装置４０は、第１商品販売機能４１、第１商品販売記録機能４２、対サーバ通信機能４３、短距離通信機能４４、また図示しないＣＰＵ等の制御装置、ＲＯＭ、ＲＡＭ等のメモリ装置、入出力装置等を有する。その他にさらに、点線以下に示したように注文票作成機能４５、注文票送付機能４６等を備える形態でも良い。
【０１２１】
第１商品販売機能４１は、第１商品Ｐ１を販売する処理を行う機能である。特に、短距離通信機能４４を通じて携帯端末３０からの第１商品Ｐ１の注文情報ａを受け付け、その受信に基づき注文受領処理を行う。また、注文情報ａで要求された第１商品Ｐ１の提供処理を行う。例えば商品がカラオケサービスの場合、選曲番号で指定されたカラオケ楽曲の演奏処理を行う。商品の性格に応じて商品Ｐ１の提供処理はサーバＳ１側から携帯端末３０に対してなされる形態でも良い。
【０１２２】
第１商品販売記録機能４２は、ユーザによる第１商品Ｐ１の購入に関する記録を第１商品購入記録テーブルＴ１に行う機能である。テーブルＴ１に記録された第１商品購入記録情報は、所定タイミングでサーバＳ１側に対サーバ通信機能４３を通じて送信され、サーバ側Ｓ１において複数の端末装置４０からの第１商品購入記録情報がまとめられる（あるいはサーバＳ１側が複数の端末装置４０から第１商品購入記録情報を収集してまとめる形態でも良い）。また、テーブルＴ１が最初からサーバＳ１側に管理される形態でも良い。その場合は、端末装置４０は商品販売の発生に伴い第１商品購入記録情報を対サーバ通信機能４３を通じてサーバＳ１側に送信してテーブルＴ１に記録させる処理形態となる。
【０１２３】
対サーバ通信機能４３は、第１販売者サーバＳ１との間での通信処理を行う機能である。第１販売者端末装置４０は、対サーバ通信機能４３を通じてサーバＳ１との間で通信処理を行い、第１商品Ｐ１の販売に関わる各種機能やサービスを実現する（例えば、第１商品がカラオケサービスの場合なら、カラオケ楽曲データのダウンロード処理等）。対サーバ通信機能４３を通じて自端末４０内にある第１商品購入記録情報をサーバＳ１側に送信したり、サーバＳ１側から必要な情報（ユーザの携帯端末３０に対して送信する情報等）を受信するなどの処理が行われる。
【０１２４】
短距離通信機能４４は、携帯端末３０の備える短距離通信機能３６に対応するものであり、携帯端末３０との間で端末装置３０からの第１商品注文処理等の通信を処理する機能である。短距離通信機能４４を通じて端末装置３０から第１商品注文情報ａを受信し注文受領処理を行う。また、短距離通信機能４４を通じて携帯端末３０に対し第１商品Ｐ１の提供に関わる処理（特に商品Ｐ１がディジタルデータの場合の商品データ送信処理やその他情報の送信処理等）を行っても良い。
【０１２５】
第１販売者システム１０では、第１販売者サーバＳ１と第１販売者端末装置４０との間での通信処理を介して、第１の実施形態のシステム１００での処理と同様の流れで第１商品の注文受け付けから注文票Ｎの作成、送付処理を行う。第１商品購入記録情報Ｔ１はサーバＳ１／端末装置４０のいずれで処理・保持されても良い。また、注文票データＮの作成もいずれで処理されても良い。また、注文票データＮの送付もいずれで処理されても良い。処理形態に応じて対サーバ通信機能を使用して必要な情報の送受信がサーバＳ１−端末装置４０間で行われる。端末装置４０で注文票データＮの作成や送付処理を行う場合、対応する機能４５、４６を端末装置４０内に有する。端末装置４０で注文票データＮの送付処理を行う場合は、短距離通信機能４４を使用して携帯端末３０に送付する。
【０１２６】
第２の実施形態のシステム２００では、ユーザは、第１販売者端末装置４０の近傍において携帯端末３０を操作し、第１商品の注文処理を実行する。携帯端末３０の短距離通信機能３６、第１商品注文機能３２を通じて処理が行われる。なお、第１商品注文情報ａには必要ならアドレス情報Ａ１として第１販売者端末装置４０のアドレスが含まれ得る（図１２参照）。第１商品Ｐ１の注文・購入に伴い、第１販売者サーバＳ１（あるいは端末装置４０）で注文票データＮが作成され、また第１販売者サーバＳ１（あるいは端末装置４０）から注文票データＮが携帯端末３０に対して送付される。以後の処理は第１の実施形態と同様である。
【０１２７】
次に、電子購入システム２００の動作を説明する。図１７は、第２の実施形態のシステム２００での処理動作の一例を示すシーケンス図である。以下、第１商品Ｐ１としてカラオケサービス、第２商品Ｐ２として着メロデータの場合を例に採り説明する。第１販売者端末装置４０は通信カラオケ装置、第２販売者サーバＳ２は、着メロデータの配信サービスを行うサーバとなる。
【０１２８】
ユーザは、第１販売者端末装置＝カラオケ装置４０の設置されている場所において、自身の所持する携帯端末３０を使用してカラオケサービスを利用する。ユーザは携帯端末３０のキー入力部を操作して所望のカラオケ楽曲の演奏リクエストを行う。ユーザは、携帯端末３０でのキー入力を通じて所望のカラオケ楽曲の選曲番号（＝第１商品ＩＤｐ１）を入力して選曲動作を行う（ステップＳ１）。ユーザによる選曲動作に基づき、携帯端末３０の第１商品注文機能３２及び短距離通信機能３６を通じて、カラオケ装置４０に対し、第１商品注文情報ａとして、選曲番号情報と携帯端末アドレス情報Ａ３を含むサービス要求信号が送信される。携帯端末３０の機能を利用して第１商品（カラオケサービス）の注文処理を行うことにより、その利用記録が第１商品購入記録としてテーブルＴ１に記録されると共に、携帯端末アドレス情報Ａ３が第１販売者システム１０側に伝えられ、後の処理に使用される（ステップＳ２）。
【０１２９】
カラオケ装置４０は、短距離通信機能４４により第１商品注文情報ａを携帯端末３０から受信し、受信した注文情報ａ中の選曲番号等に基づき要求されたカラオケ楽曲の演奏処理を実行し、これによりユーザはカラオケ楽曲演奏サービスを受けることとなる。カラオケ装置４０は、要求楽曲の演奏処理を実行すると共に、第１商品購入記録テーブルＴ１にユーザによる第１商品（カラオケサービス）の購入（利用）に関する情報を履歴情報として記録する処理を行う（ステップＳ２）。第１商品購入記録情報として、ユーザ及び携帯端末３０を識別する情報となる携帯端末アドレス情報Ａ３、選曲番号（＝第１商品ＩＤ）、楽曲名・歌手名、購入日時等の情報が組になったレコードをテーブルＴ１に追加記録する（図６）。
【０１３０】
カラオケ装置４０あるいは第１販売者サーバＳ１は、サービス要求信号（＝第１商品注文情報ａ）において携帯端末３０側から取得した携帯端末アドレス情報Ａ３を後の注文票データＮの作成・送付処理のための情報として保持、管理する。
【０１３１】
ユーザの携帯端末３０とカラオケ装置４０間では、ユーザの要求に応じて第１商品注文処理が繰り返し実行されることとなる。
【０１３２】
カラオケ装置４０は、所定タイミングで、第１商品購入記録情報Ｔ１をサーバＳ１側へ対サーバ通信機能を通じて送信する（ステップＳ５）。そして、サーバＳ１は、カラオケ装置４０側から第１商品購入記録情報Ｔ１を受信し、サーバＳ１に接続される他のカラオケ装置４０から同様に受信する情報Ｔ１とまとめて１つのテーブルＴ１として一括して保持、管理する（ステップＳ６）。テーブルＴ１からはユーザ単位の情報Ｔ１’を抽出可能である。
【０１３３】
ユーザによるカラオケサービスの利用後において、第１販売者サーバＳ１は、所定時間経過、所定楽曲数演奏後等の所定タイミングで、第１商品購入記録情報Ｔ１（Ｔ１’）及び関連付けテーブルＲ等を参照し、商品Ｐ１−Ｐ２間の関連付け・対応付けを行い（予め関連付けが済んでいる場合はテーブルＲを参照しての対応付けのみ）、ユーザの購入（利用）したカラオケ楽曲に関する情報である第１商品購入記録情報Ｔ１’と、この第１商品に関連付けされた第２商品（着メロデータ）の商品情報Ｌ２’と、を表示情報として含む形式の注文票データＮを作成する。注文票データ作成の際は第１商品購入記録情報Ｔ１や第２商品情報Ｌ２、携帯端末アドレス情報Ａ３、第２販売者サーバアドレス情報Ａ２等を参照し記述情報として使用する。商品対応付けでは、例えば、もともとカラオケ楽曲と着メロデータとが１：１で関連付けされて関連付けテーブルＲにその関係が記述されている場合は、ユーザが利用したカラオケ楽曲に対応する着メロデータの選択が対応付け処理として行われることになる。
【０１３４】
サーバＳ１は、ユーザの携帯端末３０に対し、既に第１商品注文処理を通じて取得している携帯端末アドレス情報Ａ３を宛先情報として使用して、注文票データＮを電子メール形式等で送信する（ステップＳ８）。なおカラオケ装置４０から注文票Ｎを送付する形態の場合、短距離通信機能４４を通じて処理する。
【０１３５】
上記処理形態例では、注文票データＮを第１販売者サーバＳ１側で作成し、サーバＳ１から携帯端末３０に対し送付を行う例を示した。これに限らず、第１販売者端末装置４０が注文票作成機能４５を備える形態の場合は、端末装置４０においてテーブルＴ１他の情報を参照して注文票データＮの作成を行う。そしてそれをサーバＳ１を経由して携帯端末３０に送付させるか、あるいは端末装置４０が送付機能４６を有する場合は直接携帯端末３０に対して送付する等の種々の処理形態が可能である。
【０１３６】
携帯端末３０は、注文票受信記憶機能３３により注文票データＮを受信して端末内のメモリに記憶する。ユーザによる任意タイミングの操作に基づき、注文票表示機能３４により、注文票データＮを表示装置画面に出力表示することができる。注文票データＮは、表示情報である第２商品情報Ｌ２’中に記載されている着メロデータ商品の注文が簡単な操作で可能な形式のデータになっている。ユーザは、自身による第１商品（カラオケサービス）Ｐ１の利用記録である第１商品購入記録情報Ｔ１’を閲覧しながら、自分の歌った楽曲の中で気に入った楽曲の着メロデータの注文処理をすぐにかつ簡単な操作で実行することができる。
【０１３７】
ユーザは、注文票Ｎの表示情報中、第２商品情報Ｌ２’の中で購入希望の商品がある場合は、その第２商品情報項目を選択し、購入確定操作を行う（ステップＳ９）。購入希望の第２商品の購入確定操作を契機として、注文票Ｎ内に対応して記述されている内部情報をもとに、第２商品注文情報ｂが発行され、第２販売者サーバＳ２に対して送信処理される（ステップＳ１０）。このとき同時に、第１販売者サーバＳ１に対しても同内容の注文情報ｂ（宛先はサーバＳ１のアドレスＡ１）が処理確認用の情報として送信される（例えば電子メールの同報送信機能等を使用する）。第１販売者システム１０は、注文票データＮを、ユーザの操作に基づき第２販売者サーバＳ２に向けて注文情報ｂが送出されるときに同時に第１販売者サーバＳ１に対しても同内容のデータが送出されるように処理指定記述を行う（アドレスＡ２に加え、アドレスＡ１を記述する）。これにより、ユーザが第２販売者システム２０から第２商品（着メロデータ）Ｐ２を購入したという記録が第１販売者システム１０側にも残るので、後に第２販売者が第１販売者に対して対価を支払う際の確認のための情報として参照できる。
【０１３８】
第２販売者サーバＳ２では、携帯端末３０から送信された注文情報ｂを受信すると注文受領処理を行い（ステップＳ１１）、注文情報ｂにより要求された第２商品Ｐ２（着メロデータ）の提供処理（送信処理）を行うと共に（ステップＳ１２）、第２商品購入記録テーブルＴ２にユーザによる第２商品の購入（＝第２販売者による第２商品の販売）に関する情報の記録を行う。第２商品提供処理は商品の性格に応じて異なる。ユーザは、第２商品Ｐ２（着メロデータ）を携帯端末３０にて取得する（ステップＳ１３）。商品提供処理として、特に第２商品がディジタルデータの場合は、サーバＳ２の通信機能を通じて携帯端末３０に対して商品データを送信（ダウンロード）する処理が行われる。例えば商品着メロデータを電子メール（商品提供の旨等を伝える）に添付して、ユーザの携帯端末３０へ送信する等の処理がなされる。携帯端末３０では、商品データを受信し、メモリに記憶し、利用可能な状態とする。なお、所定の決済手段（図示せず）により第２商品の代金支払いに関する決済処理が行われる。
【０１３９】
第２販売者システム２０では、第２商品購入記録情報Ｔ２を参照するなどして所定のタイミングで第２商品の販売状況に関する確認を行い（ステップＳ１４）、対価支払い機能２３により、第１販売者に対して支払う対価（第２商品の広告効果に対する対価）の計算処理を行う（ステップＳ１５）。対価計算は、第１販売者と第２販売者間で予めなされた契約に基づく所定の基準（本システムを通じて販売した商品数などの基準）に従って行われる。そして、対価支払い機能２３は、計算した対価情報を含む情報を対価支払い情報ｃとして第１販売者システム１０に対して送信する処理を行う（ステップＳ１６）。例えば、第２販売者システム２０は、第１販売者を示すアドレス情報Ａ１を見て、販売した商品（着メロデータ）の数を計上し、それに応じた対価を支払うなどする。
【０１４０】
第１販売者システム１０側では、対価支払い情報ｃを受信し、それに基づき対価が正常に支払われているか確認処理を行う（ステップＳ１７）。この確認処理は、携帯端末３０から受信して記録している確認用の第２商品注文情報ｂも併せて参照して行われる（２つの情報を参照することで所定基準に従って正常に支払いの計算がなされているかを確認できる）。
【０１４１】
なお、本実施形態では、カラオケ楽曲の選曲処理（第１商品Ｐ１の注文処理）を行う装置としてユーザの携帯端末３０を使用している。カラオケ楽曲の選曲（第１商品の注文処理）にユーザの携帯端末３０を使用することにより、携帯端末アドレス情報Ａ３等のユーザ情報が第１販売者システム１０側に伝えられ、その情報が後の処理（注文票送付処理等）において参照・利用される。
【０１４２】
携帯電話機等の携帯端末３０においてカラオケ装置４０に対し選曲情報を送信してカラオケサービスを実行する機能自体については公知技術である。
【０１４３】
また、第１の実施形態のシステム１００、第２の実施形態のシステム２００では、第２販売者が提供する第２商品情報Ｌ２のコピーを第１販売者システム１０内に保持し、第１商品−第２商品間の関連付けや商品情報Ｌ２’の作成のために利用している。
【０１４４】
また、商品ＩＤは必ずしも英数字等の組み合わせの情報である必要は無く、「楽曲名」と「歌手名」の組み合わせのテキスト形式であるなど、本電子購入システム中において商品を一意に特定できる性質の情報であればよい。
【０１４５】
また、販売者側のシステム１０、２０は、機能に応じた複数のサーバ装置を用いて構成されても良い。
【０１４６】
また、上記では、電子メールアドレス及び電子メールプロトコルを使用して注文票データＮの送信処理を行う例を示したが、第１販売者サーバＳ１（第１販売者システム１０内）に注文票データＮを保持し、ユーザの携帯端末３０からのアクセスに応じて注文票データＮを送信・提供する形態としても良い（その他は同じ）。この場合はユーザの携帯端末３０側からのサーバＳ１へのアクセス（第１販売者サーバアドレス情報Ａ１を使用する）という働きかけが必要となることが特徴として異なる。ユーザは自身の第１商品購入記録情報を閲覧したいときに携帯端末３０からサーバＳ１にアクセスし、注文票データＮを取得して表示する。
【０１４７】
また、予め第１販売者システム１０に携帯端末アドレス情報Ａ３他のユーザ情報を登録しておきそれを使用して処理を行う形態であっても良い。この場合、携帯端末３０からの第１商品注文情報ａの送信処理の際に携帯端末アドレス情報Ａ３を含ませて送信する必要がない。注文票Ｎの作成及び送付処理等の際は、システムに登録されている携帯端末アドレス情報Ａ３他のユーザ情報を参照して処理を行う。
【０１４８】
また、処理形態の１つとして、ユーザが第１販売者システム１０を通じて利用した第１商品Ｐ１が複数であった場合に、サーバＳ１あるいは端末装置４０から携帯端末３０へ送付される注文票Ｎにおいて、複数の第２商品の商品項目とこれに対応した１つの購入意志を示すための項目とが記述され、ユーザがこの１つの購入意志を示すための項目の選択操作の実行により、上記複数の第２商品を同時に注文できるように注文票データＮを構成する形態も可能である。
【０１４９】
また、上記では、扱う商品の例としてカラオケサービスや着メロデータを採りあげ、それに対応するシステムを説明したが、例えば楽曲や歌手などの関連性を見いだせるような商品として他に、コンサートホール等での演奏を聞くためのチケット、音楽ＣＤ・ＤＶＤ等の媒体商品、ネットワークを介したディジタル形式の音楽データの配信サービス、歌手に関する各種情報やコンテンツの提供サービスなど様々なものを挙げることができ、これら商品に対しても本システムを適用して関連付けを行うことができる。勿論、このような音楽ジャンルの商品以外でも、商品間の関連付けを行うことが可能な商品同士であれば、本発明のシステム及び方法を適用することができる。
【０１５０】
また、第２商品として同タイプの商品を扱う複数の第２販売者が存在し（例えば複数の着メロ販売業者が存在する等）、これら複数の第２販売者システムが第１販売者システムと本システム利用の契約を行い、第１商品に対して複数の第２商品が関連付けされる形態でも良い。特に複雑になることなく同様の処理で実現可能である。
【０１５１】
また、異なるタイプの商品を販売する複数の販売者システム（第２販売者〜第ｎ販売者）が存在し、これら複数の販売者システムが第１販売者システムと本システム利用の契約を行い、第１商品に対して複数の販売者（第２販売者〜第ｎ販売者）の各商品の関連付けが行われる形態でも良い。注文票データＮには、第１商品購入記録情報Ｔ１’と、これに関連付けされた複数の販売者の商品（Ｐ２〜Ｐｎ）の商品情報（Ｌ２’〜Ｌｎ’）とが表示情報として記述される。ユーザは、携帯端末３０にて、商品情報（Ｌ２’〜Ｌｎ’）中の或る商品について購入希望の場合はその商品項目を選択確定操作すれば、その商品の注文情報が発行され、商品に対応する販売者システムのサーバに対して送信され商品購入を行うことができる。
【０１５２】
［第３の実施形態］次に、本発明の第３の実施形態の電子購入システム３００について説明する。図１８に第３の実施の形態における電子購入システム３００の構成を示す。基本構成は第１あるいは第２の実施形態で説明したシステムと同様である。異なる部分として、第１あるいは第２の実施形態のシステムでは第２商品情報Ｌ２（のコピー）を第１販売者システム１０内に保持し、商品情報Ｌ１−Ｌ２間でマッチング処理を行って関連付けテーブルＲを作成し商品間の関連付け・対応付けを行っている構成例を説明したが、第３の実施形態のシステム３００においては、第２商品情報Ｌ２及び関連付けテーブルＲはあくまで第２販売者システム２０内に保持し、第２販売者システム２０側で商品間の関連付け・対応付けと注文票作成・送付処理等を行う。
【０１５３】
第３の実施形態のシステム３００では、第２販売者システム２０の第２販売者サーバＳ２は、図５に示した点線以下の第１商品購入記録取得機能２４、注文票作成機能２５、注文票送付機能２６を有する。
【０１５４】
第１商品購入記録取得機能２４は、第１販売者システム１０側から所定タイミングで通信網を介して第１商品購入記録情報Ｔ１（Ｔ１’）を取得してメモリに記憶する機能である。第１商品購入記録情報Ｔ１と共に、ユーザの携帯端末３０へ注文票データＮを送付するのに必要となる携帯端末アドレス情報Ａ３も取得する。なお、第１販売者システム１０側が第１商品購入記録情報Ｔ１を第２販売者システム２０側に送信・提供する機能（第１商品購入記録提供機能１８（図４参照））を備えると言い換えることもできる。
【０１５５】
注文票作成機能２５、注文票送付機能２６は、それぞれ、注文票データＮを作成する機能、注文票データＮを携帯端末３０に送付する機能であり、前述の実施形態で説明した機能と同様の機能である。
【０１５６】
図１９は、第３の実施形態のシステム３００の動作を示すシーケンス図である。この図を参照してシステム３００の動作例を説明する。なお、第１販売者システム１０は、第２の実施形態のシステムで示したように複数の第１販売者端末装置４０を有して構成されているものとする。ユーザの携帯端末３０が近傍の端末装置４０に注文情報ａを送信して第１商品購入を行う処理は前述の実施形態と同じである。
【０１５７】
端末装置４０は、所定タイミングで対サーバ通信機能４３を通じて通信網を介して第１販売者サーバＳ１へ第１商品購入記録テーブルＴ１の情報を送信する（ステップＳ３１）。第１販売者サーバＳ１は、端末装置４０からテーブル情報Ｔ１を受信して他の端末装置４０からのテーブル情報とまとめる。第１販売者システム１０は、この第１商品購入記録情報Ｔ１（あるいはＴ１’）を予め契約している第２販売者システム２０の第２販売者サーバＳ２に電子メール添付形式等の所定形式で送信する。情報Ｔ１（Ｔ１’）中には携帯端末アドレス情報Ａ３も含む（注文票データＮの送付の際に使用するため）。この送信処理の際は第２販売者サーバアドレス情報Ａ２等が使用される。あるいは、第２販売者システム２０の第１商品購入記録取得機能２４により、第２販売者側からのアクセスによりテーブル情報Ｔ１（Ｔ１’）を取得する処理形態でも良い。
【０１５８】
第２販売者サーバＳ２は、第１商品購入記録取得機能２４により、第１販売者システム１０側から受信した電子メールから添付のテーブル情報（第１商品購入記録情報）Ｔ１（Ｔ１’）を取り出す（ステップＳ３２）。
【０１５９】
第２販売者システム２０の注文票作成機能２５は、所定タイミングで、第１商品購入記録情報Ｔ１（Ｔ１’）、関連付けテーブルＲ、第２商品情報Ｌ２等を参照し、ユーザの購入した第１商品について第２商品で関連性を持つものがあるかどうか確認し関連付け・対応付けを行う。商品情報Ｌ１−Ｌ２間のマッチング処理等により商品間の関連付けが予め行われて関連付けテーブルＲが作成されている場合はテーブルＲを参照して対応付けを行う。そして、ユーザ単位の第１商品購入記録情報Ｔ１’と、それに関連付けされた第２商品情報Ｌ２’とを組で表示情報として含む注文票データＮを作成する（ステップＳ３３）。注文票送付機能２６は、作成した注文票データＮを携帯端末アドレス情報Ａ３を宛先情報として用いて携帯端末３０に送付する処理を行う（ステップＳ３４）。ユーザの携帯端末３０が注文票データＮを受信する処理以降は、前述の実施形態と同様であるので省略する。
【０１６０】
［第４の実施形態］次に、本発明の第４の実施形態の電子購入システム４００について説明する。第４の実施形態の電子購入システム４００は、基本構成は第３の実施形態のシステム３００と同様である。電子購入システム４００では、第２販売者システム２０は第１販売者システム１０から第１商品購入記録情報Ｔ１を取得し、その情報取得に対して情報料として対価の支払いを行う。つまり、対価支払い機能２３は、情報Ｔ１の取得に基づき、取得した回数やデータ量などを基準として第１販売者に対して情報料として支払う対価の計算を行い、計算した対価情報を含んだ対価支払い情報ｃを第１販売者システム１０に対して送信する。
【０１６１】
図２０は、第４の実施形態の電子購入システム４００の動作を示すシーケンス図である。ユーザの携帯端末３０が端末装置４０に対し第１注文情報ａを送信して第１商品購入を行い、第２販売者システム２０の第１商品購入記録取得機能２４が第１販売者システム１０（第１販売者サーバＳ１）から第１商品購入記録情報Ｔ１を取得する処理までは第３の実施形態のシステムでの処理と同様である。
【０１６２】
第２販売者システム２０は、第１商品購入記録取得機能２４により第１販売者システム１０側から通信網を介してテーブル情報Ｔ１を取得してシステム内のメモリに記憶し（ステップＳ４１）、その取得を確認した後、第１販売者システム１０への対価支払い処理を実行する。第２販売者サーバＳ２は、対価支払い機能２３により対価計算処理を行い（ステップＳ４２）、対価情報を含んだ対価支払い情報ｃを第１販売者サーバＳ１に対して送信する（ステップＳ４３）。第１販売者システム１０側では、所定タイミングで、受信した対価支払い情報ｃをもとに対価が正常に支払われているかの確認処理を行う（ステップＳ４４）。
【０１６３】
第２販売者システム２０のサーバＳ２は、テーブル情報Ｔ１、関連付けテーブルＲ等を参照して注文票データＮを作成し（ステップＳ４５）、ユーザの携帯端末３０へ送付する（ステップＳ４６）。この後の処理は前述の実施形態と同様であるので省略する。ただし、ユーザによる第２商品の購入後において、第２販売者サーバＳ２が第１販売者サーバＳ１に対して対価支払い処理は行わないこと等が異なる。
【０１６４】
なお、上記シーケンスでは、第２販売者システム２０は、第１販売者システム１０側からの第１商品購入記録情報Ｔ１の取得後、対価計算処理を行って対価支払情報ｃを送信処理しているが、注文票データＮの作成・送付処理後や、注文情報ｂの受信に基づく第２商品の販売処理後などのタイミングで、情報料としての対価の計算を行って対価支払情報ｃを送信する形態でも良い。
【０１６５】
［第５の実施形態］次に、本発明の第５の実施の形態について説明する。第５の実施形態の電子購入システム５００では、第１商品と第２商品との関連付けをコンピュータによる自動処理として実行する。そのために、第１販売者システム１０あるいは第２販売者システム２０は、他方の販売者システムの商品情報を通信網を介して取得する機能と、取得した商品情報と自システム内の商品の商品情報とをマッチング処理して関連付けテーブルＲを作成（更新）して保持する機能とをさらに有する。図２１に、電子購入システム５００における販売者システム側の構成を示す。
【０１６６】
いずれの販売者システムにおいて関連付けテーブルＲを作成・保持する形態でも良いが、特に第１販売者システム１０において関連付けテーブルＲを作成・保持する形態について説明する。
【０１６７】
第１販売者システム１０は、第２商品情報取得機能１６と、関連付けテーブル作成機能１７とを有する。
【０１６８】
第２商品情報取得機能１６は、所定タイミングで通信網を介して第２販売者システム２０側から商品情報Ｌ２（のコピー）を取得し、第１販売者システム１０内のメモリに記憶する機能である。なお、第２販売者システム２０側が第１販売者システム側に対して所定タイミングで商品情報Ｌ２を送信・提供する機能を備えると言い換えることもできる。
【０１６９】
関連付けテーブル作成機能１７は、第２商品情報取得機能１６により取得された商品情報Ｌ２と、自システム内に保持する第１商品情報Ｌ１とを用いて商品情報同士のマッチング処理を実行し、商品間の関連付けを行って関連・対応が所定形式で記述された関連付けテーブルＲを作成する機能である。
【０１７０】
本実施形態では、コンピュータによるマッチング処理を行うため、第１商品Ｐ１、第２商品Ｐ２について、それぞれの商品情報（リスト、カタログ、メニュー、広告情報）Ｌ１、Ｌ２がディジタル形式、特にテキスト情報を含んだ形式で提供されていることが前提条件となる。また、異なる販売者による商品及び商品情報であることから、それぞれの商品情報Ｌ１、Ｌ２の表現形式は異なっている場合が多いことが前提として想定される。異なる商品情報Ｌ１、Ｌ２が存在するとき、商品情報Ｌ１−Ｌ２のマッチング処理により、第１商品−第２商品間の商品関連付けがなされる。勿論、商品情報Ｌ１、Ｌ２の表現形式が同一である場合はマッチング処理により容易に関連付けを実行できる。
【０１７１】
商品情報Ｌ１、Ｌ２中に特にテキスト情報を含んでいる場合、コンピュータによる、テキスト情報におけるマッチング処理（比較検索処理）により商品関連付けを行うことができる。例えば、第１商品情報Ｌ１中にあるワードが第２商品情報Ｌ２中にも見出される、あるいは、予め用意したワードを用いて商品情報Ｌ１及びＬ２中からの検索を行う等により関連付けることができる。例えば、第１商品がカラオケ楽曲の演奏サービス、第２商品が着メロデータである場合に、楽曲、歌手などの点において共通性が見出されることが可能である。つまり楽曲名、歌手名などのテキスト情報においてワードが一致すれば良い。その他、公知の曖昧検索手法等（類似ワードで関連付ける等）を用いてテキストマッチング処理により関連付けを行っても良い。
【０１７２】
他販売者システムからの商品情報取得処理及び関連付けテーブル作成処理を所定タイミングで繰り返し実行する形態とすることができる。関連付けテーブルＲの作成・更新処理に伴い商品間の関連付けも更新されることになる。また、注文票データＮの作成処理の発生に伴い本実施形態の機能１６、１７を起動して商品関連付け・対応付けを実行する形態としても良い。また、人間の作業による商品関連付けと併用する形態でも良い。
【０１７３】
以上により本発明の実施の形態について説明した。なお、上述した実施形態は、本発明の好適な実施形態の一例を示すものであり、本発明はそれに限定されるものではなく、その要旨を逸脱しない範囲内において、種々変形実施が可能である。
【０１７４】
【発明の効果】
以上の説明から明らかなように、本発明によれば、携帯電話機等の携帯端末を利用した電子購入システムにおいて、ユーザは自身の所持する携帯端末を利用して第１販売者から第１の商品を注文・購入すると、それに基づき第１商品の購入記録情報を取得でき、それを閲覧して自身の購入した第１商品に関して詳細情報等を見て確認することができると共に、その第１商品購入記録情報と組で提供される関連第２商品の商品情報を閲覧することができ、第２商品の商品情報項目から購入希望の商品の項目を携帯端末での簡単な選択動作により注文・購入を実行することができる。
【０１７５】
本発明では、商品同士の関連性に基づきユーザの購入した第１商品に関連した第２商品についての商品情報提供を行い、ユーザは自身の購入した商品に関連する商品の情報を閲覧できるため、ユーザの興味関心等に基づかない一方向的な商品情報提供手法のような煩わしさはない。またユーザは第１商品の購入記録情報と関連第２商品の商品情報とを見比べながら、自身の興味のある第１商品について関連する第２商品の注文をすぐに実行できるため利便性がある。またユーザは、従来のような別途の商品検索手続きや多数の文字情報の入力手続き等の手間を要することなく携帯端末における簡単な操作で第２商品の注文・購入を実行することができるので利便性がある。
【０１７６】
また、第１販売者にとっては、第１商品の販売を行うと共に第２商品についての情報提供処理を実行することにより、第２販売者から第２商品の広告効果に対する対価を得ることができる。また第１販売者は、サービス拡張として、第１商品にユーザへの第１商品購入記録情報の配信・提供という付加価値を与えることができる。
【０１７７】
また、第２販売者にとっては、ユーザ（第１商品購入者）による第１商品の購入に伴って注文票データによって第２商品の購入を促すことができ、効果的に第２商品の広告を行うことができる。
【０１７８】
以上のように、本発明により、第１商品の販売に伴って第２商品の広告を効率的に行って第２商品購入を促すことができ、第１販売者はその広告効果による対価を得ることができ、ユーザは従来のような関連商品を探す手間等がなく利便性を得る。このように第１販売者、第２販売者、及びユーザの三者にとって有益であるという効果がある。
【０１７９】
また、特に請求項２記載の発明では、第１及び第２の販売者システムともサーバを中心として構成される形態において上記のような効果を得ることができる。
【０１８０】
また、特に請求項３記載の発明では、第１の販売者システムがサーバと複数の端末装置により構成され端末装置に対して第１商品の注文が行われる形態において上記のような効果を得ることができる。
【０１８１】
また、特に請求項４あるいは５に記載の発明では、携帯端末が第２の販売者システム側から注文票データを受信する形態において上記のような効果を得ることができる。
【０１８２】
また、特に請求項９から１１のいずれか１項に記載の発明では、第１商品−第２商品間の関連付けがコンピュータにより自動実行され人間による関連付け作業を必要とせず、上記のような効果を得ることができる。
【０１８３】
また、特に請求項１６記載の発明では、第１販売者システムが第１商品としてディジタルデータを販売する形態において上記のような効果を得ることができる。
【０１８４】
また、特に請求項１７記載の発明では、第２販売者システムが第２商品としてディジタルデータを販売する形態において上記のような効果を得ることができる。
【図面の簡単な説明】
【図１】本発明の第１の実施の形態における電子購入システム１００の構成を示す図である。
【図２】本発明の第１の実施の形態における電子購入システム１００の動作の概要について示す図である。
【図３】本発明の実施の形態における携帯端末３０の構成を示す図である。
【図４】本発明の実施の形態における第１販売者サーバＳ１の構成を示す図である。
【図５】本発明の実施の形態における第２販売者サーバＳ２の構成を示す図である。
【図６】第１商品購入記録情報（テーブル）Ｔ１について示す図である。
【図７】第１商品購入記録情報（テーブル）Ｔ１’について示す図である。
【図８】第１商品−第２商品関連付けテーブルＲについて示す図である。
【図９】第１商品情報Ｌ１について示す図である。
【図１０】第２商品情報Ｌ２について示す図である。
【図１１】第２商品情報Ｌ２’について示す図である。
【図１２】第１商品注文情報ａについて示す図である。
【図１３】第２商品注文情報ｂについて示す図である。
【図１４】携帯端末３０での注文票Ｎの表示例について示す図である。
【図１５】第２の実施形態の電子購入システム２００の構成について示す図である。
【図１６】第１販売者端末装置４０の構成について示す図である。
【図１７】第２の実施形態の電子購入システム２００の動作について示すシーケンス図である。
【図１８】第３の実施形態の電子購入システム３００の構成について示す図である。
【図１９】第３の実施形態の電子購入システム３００の動作について示すシーケンス図である。
【図２０】第４の実施形態の電子購入システム４００の動作について示すシーケンス図である。
【図２１】第５の実施形態の電子購入システム５００の販売者システム側の構成について示す図である。
【図２２】従来の電子購入システムの例について示す図である。
【符号の説明】
１００　電子購入システム（第１実施形態）
１０　第１販売者システム
２０　第２販売者システム
３０　携帯端末
４０　第１販売者端末装置
Ｐ１　第１の商品
Ｐ２　第２の商品
Ｓ１　第１販売者サーバ
Ｓ２　第２販売者サーバ
Ｌ１　第１商品情報
Ｌ２　第２商品情報
Ｌ２’　第１商品購入記録情報Ｔ１’に関連付けされた第２商品の商品情報
Ｌ２’　第１商品購入記録情報Ｔ１’に関連付けされた第２商品の商品情報
Ｒ　第１商品−第２商品関連付けテーブル
Ｔ１　第１商品購入記録情報
Ｔ１’　ユーザ単位の第１商品購入記録情報
Ｔ２　第２商品購入記録情報
Ｎ　注文票データ
Ａ１　第１販売者サーバアドレス情報
Ａ２　第２販売者サーバアドレス情報
Ａ３　携帯端末アドレス情報
ａ　第１商品注文情報
ｂ　第２商品注文情報
ｃ　対価支払情報
ｐ１　第１商品ＩＤ（識別子）
ｐ２　第２商品ＩＤ（識別子）
１１　第１商品販売機能
１２　第１商品販売記録機能
１３　注文票作成機能
１４　注文票送付機能
１５　対価支払い確認機能
１６　第２商品情報取得機能
１７　関連付けテーブル作成機能
１８　第１商品購入記録提供機能
２１　第２商品販売機能
２２　第２商品販売記録機能
２３　対価支払い機能
２４　第１商品購入記録取得機能
２５　注文票作成機能
２６　注文票送付機能
３１　無線通信機能
３２　第１商品注文機能
３３　注文票受信記憶機能
３４　注文票表示機能
３５　第２商品注文機能
３６　短距離通信機能
２００　電子購入システム（第２実施形態）
３００　電子購入システム（第３実施形態）
４００　電子購入システム（第４実施形態）
５００　電子購入システム（第５実施形態）
【図１】
2004078609.tif 000003
【図２】
2004078609.tif 000004
【図３】
2004078609.tif 000005
【図４】
2004078609.tif 000006
【図５】
2004078609.tif 000007
【図６】
2004078609.tif 000008
【図７】
2004078609.tif 000009
【図８】
2004078609.tif 000010
【図９】
2004078609.tif 000011
【図１０】
2004078609.tif 000012
【図１１】
2004078609.tif 000013
【図１２】
2004078609.tif 000014
【図１３】
2004078609.tif 000015
【図１４】
2004078609.tif 000016
【図１５】
2004078609.tif 000017
【図１６】
2004078609.tif 000018
【図１７】
2004078609.tif 000019
【図１８】
2004078609.tif 000020
【図１９】
2004078609.tif 000021
【図２０】
2004078609.tif 000022
【図２１】
2004078609.tif 000023
【図２２】
2004078609.tif 000024